(57)【要約】【課題】遠隔通信網を介して中央から容易に遠隔制御可能な映像音声情報再生システムのネットワーク管理装置およびプロセスを提供する。【解決手段】複数のアレイセット１１０１〜１１１１をもつデータベース１１を具備し、各アレイが、ジュークボックスの構成か、ジュークボックスの使用か、または料金の支払のいずれかに関するグループ化された情報を含み、データベース１１が、映像音声情報再生システム１００．１〜１００．ｎとの接続手段が設けられたコンピュータサーバ１０により管理され、第１に、各映像音声情報再生装置により送信され、データベースにある所定のアレイセットの更新に必要な情報を含むメッセージを受信し、第２に、各映像音声情報再生装置にメッセージを送信して、データベースの少なくとも１つのアレイセット１１１０に格納されメッセージで送信された情報で、各映像音声情報再生装置のデータまたはプログラムを更新する。【選択図】図１
2014016645.tif 000002
【特許請求の範囲】
【請求項１】
映像音声情報再生システムのネットワーク管理装置であって、複数のアレイセット（１１０１〜１１１１）をもつデータベース（１１）を具備し、各アレイが、ジュークボックスの構成（１１０２、１１０４）か、ジュークボックスの使用（１１０８、１１１０、１１１１）か、または料金の支払（１１０９）のいずれかに関するグループ化された情報を含み、前記データベース（１１）が、映像音声情報再生システム（１００．１〜１００．ｎ）との接続手段が設けられたコンピュータサーバ（１０）により管理され、第１に、各映像音声情報再生装置（１００．１〜１００．ｎ）により送信され、データベースにある所定のアレイセット（１１０１〜１１１１）の更新に必要な情報を含むメッセージを受信し、第２に、各映像音声情報再生装置（１００．１〜１００．ｎ）にメッセージを送信して、データベースの少なくとも１つのアレイセット（１１１０）に格納されメッセージで送信された情報で、各映像音声情報再生装置（１００．１〜１００．ｎ）のデータまたはプログラムを更新することを特徴とする映像音声情報再生システムのネットワーク管理装置。
【請求項２】
第１のアレイセット（１１０１）が、ジュークボックスの動作状態に関する全般的な情報を備えることを特徴とする請求項１に記載の映像音声情報再生システムのネットワーク管理装置。
【請求項３】
第１のアレイセットが、各ジュークボックスを固有に識別する番号（ＪＵＫ＿ＩＤ）と、ジュークボックスの動作状態（ＪＵＫ＿ＳＴＡＴＵＳ）と、ジュークボックスの動作を許可するパスワード（ＪＵＫ＿ＷＡＫＥ＿ＵＰ＿ＰＡＳＳＷ）と、ジュークボックスインストール日（ＪＵＫ＿ＩＮＳＴＡＬＬＡＴＩＯＮ＿ＤＴ）とを備えることを特徴とする請求項２に記載の映像音声情報再生システムのネットワーク管理装置。
【請求項４】
データベースにある第２のアレイセット（１１０２）が、各ジュークボックスのハードウェアとソフトウェアの構成に関する情報を備えることを特徴とする請求項１から３のいずれか一項に記載の映像音声情報再生システムのネットワーク管理装置。
【請求項５】
第２のアレイセットが、ジュークボックスで使用可能なすべてのソフトウェアを含むテーブルグループ（ＰＲＯＧＲＡＭＭ）を備え、各プログラムが、少なくともプログラム名（ＰＧＤ＿ＮＡＭＥ）と、プログラムのバージョンナンバー（ＰＧＭ＿ＶＥＲＳＩＯＮ）により識別されることを特徴とする請求項４に記載の映像音声情報再生システムのネットワーク管理装置。
【請求項６】
第２のアレイセットが、各所与のジュークボックス（ＪＵＫ＿ＩＤ）に対して、各ジュークボックスにインストールされたプログラム名とバージョンとを含むテーブルグループ（ＳＯＦＴＷＡＲＥ）を備えることを特徴とする請求項５に記載の映像音声情報再生システムのネットワーク管理装置。
【請求項７】
第２のアレイセットが、各ジュークボックスにおいて使用可能なハードウェアコンポーネントのリストを含むテーブルグループ（ＣＯＭＰＯＮＥＮＴ）を備え、各コンポーネントが番号（ＣＯＤ＿ＩＤ）により識別され、テーブルグループ（ＣＯＭＰＯＮＥＮＴ）が、コンポーネントがインストールされたジュークボックスの番号（ＪＵＫ＿ＩＤ）に対応する引き数をさらに備えることを特徴とする請求項４から６のいずれか一項に記載の映像音声情報再生システムのネットワーク管理装置。
【請求項８】
第２のアレイセット（１１０２）が、各ソフトウェアの記述を含むテーブルグループ（ＰＲＯＧＲＡＭ＿ＤＥＦ）、ソフトウェア間の非互換性をリストするテーブルグループ（ＰＲＯＧＲＡＭＭ＿ＩＮＣＯＭＰＡＴ）、各ハードウェアコンポーネントの記述を含むテーブルグループ（ＣＯＭＰＯＮＥＮＴ＿ＤＥＦ）、コンポーネントとソフトウェア間の非互換性をリストするテーブルグループ（ＣＯＭＰＯＮＥＮＴ＿ＩＮＣＯＭＰＡＴ）、ハードウェアコンポーネントに関連するソフトウェアのリストを含むテーブルグループ（ＦＩＲＭＷＡＲＥ）、またはこれらの組み合わせを備えることを特徴とする請求項４から７のいずれか一項に記載の映像音声情報再生システムのネットワーク管理装置。
【請求項９】
第３のアレイセットが、すべてのジュークボックスに対する種々の動作および設定パラメータのセットのすべての可能な値を含む第１のサブセット（１１０３、ＩＢ＿ＸＸＸ）を備え、各パラメータセットの値が、固有番号により識別されることを特徴とする請求項１から８のいずれか一項に記載の映像音声情報再生システムのネットワーク管理装置。
【請求項１０】
第３のアレイセット（１１０３、ＪＵＫ＿ＸＸＸ）の第２のサブセットが、各ジュークボックス識別子（ＪＵＫ＿ＩＤ）に対して、第１のグループの第１のサブセット（１１０３、ＩＢ＿ＸＸＸ）にあるテーブルグループに含まれた動作および設定パラメータセットの識別子を関連付けることを特徴とする請求項９に記載の映像音声情報再生システムのネットワーク管理装置。
【請求項１１】
パラメータセットが、第１のテーブルグループにある種々の可能なパスワード（ＩＢ＿ＰＡＳＳＷＯＲＤ）、第２のテーブルグループにある曲の値段（ＩＢ＿ＴＵＮＥ＿ＣＯＳＴ）、第３のテーブルグループにあるジュークボックスの遠隔制御の設定（ＩＢ＿ＲＥＭＯＴＥ＿ＣＯＮＴＲＯＬ）、第３のテーブルグループ（ＩＢ＿ＣＲＥＤＩＴ）において使用可能な無料の曲の数、第４のテーブルグループにあるインターネット接続要素（ＩＢ＿ＩＳＰ）、またはこれらの組み合わせを含むことを特徴とする請求項９または１０に記載の映像音声情報再生システムのネットワーク管理装置。
【請求項１２】
第４のアレイセット（１１０４）が、所与の識別子番号（ＪＵＫ＿ＩＤ）をもつジュークボックスで利用可能な曲番号（ＣＬＴ＿ＩＤ）のリストを決定することを特徴とする請求項１から１１のいずれか一項に記載の映像音声情報再生システムのネットワーク管理装置。
【請求項１３】
第５のアレイセット（１１０５）が、データベース（１１）にある曲のバンクを構成するすべての曲、アーティストおよびアルバムの記述を備え、各曲が番号（ＣＬＴ＿ＩＤ）により識別されることを特徴とする請求項１から１２のいずれか一項に記載の映像音声情報再生システムのネットワーク管理装置。
【請求項１４】
第５のアレイセット（１１０５）が、曲のバンクにある各曲の記述および各ジュークボックスで利用可能であるか否かの記述を含むテーブルグループ（ＣＡＴＡＬＯＧＵＥ）と、曲のバンクにある各アルバムの記述および各ジュークボックスで利用可能であるか否かの記述を含むテーブルグループ（ＡＬＢＵＭ）と、曲のバンクにある各アーティストまたはアーティストグループの記述を含むテーブルグループ（ＡＲＴＩＳＴＥ）とを備えることを特徴とする請求項１３に記載の映像音声情報再生システムのネットワーク管理装置。
【請求項１５】
第６のアレイセット（１１０６）が、オペレータにより選択された少なくとも１曲をダウンロードさせないための、各ジュークボックスのフィルタの配置に関する情報を含む請求項１から１４のいずれか一項に記載の映像音声情報再生システムのネットワーク管理装置。
【請求項１６】
第６のアレイセット（１１０６）が、各ジュークボックスに設置されえ、少なくとも１人の所定のアーティスト（ＡＲＴ＿ＩＤ）、少なくとも１つの所定の曲カテゴリー（ＣＴＧ＿ＩＤ）、少なくとも１つの所定のディスク発行者（ＬＡＢ＿ＩＤ）、少なくとも１曲の所定の曲（ＣＴＬ＿ＩＤ）、またはこれらの組み合わせに適用可能であるすべてのフィルタに対する規準を規定する複数のテーブルグループ（ＦＬＴ＿ＬＡＢＥＬ、ＦＬＴ＿ＡＲＴＩＳＴ、ＦＬＴ＿ＣＡＴＡＬＯＧＵＥ）を備え、各フィルタが、アレイ（ＪＵＫ＿ＦＩＬＴＥＲ）で記述され、フィルタを識別する固有番号（ＪＵＦ＿ＩＤ）により識別されることを特徴とする請求項１５に記載の映像音声情報再生システムのネットワーク管理装置。
【請求項１７】
第１のアレイセット（１１０１）が、所定のジュークボックス（ＪＵＫ＿ＩＤ）に適用されるフィルタの識別子（ＪＵＦ＿ＩＤ）に対応する引き数を備えることを特徴とする請求項１５または１６に記載の映像音声情報再生システムのネットワーク管理装置。
【請求項１８】
第７のアレイセット（１１０７）が、各ジュークボックスを所有はたまレンタルするオペレータに関する情報を備える請求項１から１７のいずれか一項に記載の映像音声情報再生システムのネットワーク管理装置。
【請求項１９】
第８のアレイセット（１１０８）が、各ジュークボックスの使用の履歴を含むことを特徴とする請求項１から１８のいずれか一項に記載の映像音声情報再生システムのネットワーク管理装置。
【請求項２０】
第８のアレイセット（１１０８）が、各映像音声情報再生装置（１００．１〜１００．ｎ）に配給された曲の全識別子（ＣＬＴ＿ＩＤ）のリストを含むテーブルグループ（ＰＬＡＹ＿ＬＯＧ）を備え、該アレイが、所定の映像音声情報再生装置（１００．１〜１００．ｎ）により、ジュークボックスに配給された曲のリストを含むログファイルを受信すると、サーバ（１０）により更新されることを特徴とする請求項１９に記載の映像音声情報再生システムのネットワーク管理装置。
【請求項２１】
第９のアレイセット（１１０９）が、各ジュークボックスの料金およびレンタル費の計算に必要な情報を備えることを特徴とする請求項１から１２のいずれか一項に記載の映像音声情報再生システムのネットワーク管理装置。
【請求項２２】
第１０のアレイセット（１１１０）が、少なくとも１つの映像音声情報再生装置（１００．１〜１００．ｎ）を更新するためのすべての命令を備え、該命令は、映像音声情報再生装置（１００．１〜１００．ｎ）がサーバとの通信を確立するとすぐに、サーバ（１０）に関係する映像音声情報再生装置（１００．１〜１００．ｎ）に送信されることを特徴とする請求項１から２１のいずれか一項に記載の映像音声情報再生システムのネットワーク管理装置。
【請求項２３】
第１０のアレイセット（１１１０）が、所定のジュークボックス（ＪＵＫ＿ＩＤ）に対する更新命令（ＩＮＳ＿ＩＤ）と、ジュークボックスで命令が実行されなければならない順番（ＩＮＳ＿ＳＥＱ）およびサーバ（１０）がジュークボックスに命令を送信するのを開始する日（ＩＮＳ＿ＴＡＲＧＥＴ＿ＤＴ）またはこの一方を識別するテーブルグループ（ＩＮＳＴＲＵＣＴＩＯＮ）とを備えることを特徴とする請求項２２に記載の映像音声情報再生システムのネットワーク管理装置。
【請求項２４】
第１１のテーブルセットに含まれる命令は、サーバ（１０）がジュークボックスに命令を送信可能となる開始日（ＩＮＳ＿ＴＡＲＧＥＴ＿ＤＴ）前に記憶されることを特徴とする請求項２３に記載の映像音声情報再生システムのネットワーク管理装置。
【請求項２５】
第１０のアレイセット（１１１０）が、各ジュークボックスで可能な更新命令を含む複数のテーブルグループ（ＩＮＳ＿ＳＯＦＴＷＡＲＥ、ＩＮＳ＿ＡＬＢＵＭ、ＩＮＳ＿ＣＡＴＡＬＯＧＵＥ、ＩＮＳ＿ＪＥＥＰ＿ＳＣＲＩＰＴ、ＩＮＳ＿ＩＢＵＴＴＯＮ）を備え、ソフトウェアの更新（ＩＮＳ＿ＳＯＦＴＷＡＲＥ）か、新しいアルバムの追加（ＩＮＳ＿ＡＬＢＵＭ）か、新曲の追加（ＩＮＳ＿ＣＡＴＡＬＯＧＵＥ）か、ジュークボックスでのコンピュータファイルの管理（ＩＮＳ＿ＪＥＥＰ＿ＳＣＲＩＰＴ）か、またはジュークボックスの動作パラメータの修正（ＩＮＳ＿ＩＢＵＴＴＯＮ）のいずれかに各命令が関係することを特徴とする請求項２２から２４のいずれか一項に記載の映像音声情報再生システムのネットワーク管理装置。
【請求項２６】
第１０のアレイセット（１１１０）が、各ジュークボックスに正確に送信された命令の全識別子を備える特定テーブルグループ（ＥＸＥＣＵＴＥＤ＿ＩＮＳＴＲＵＣＴＩＯＮ）を備え、特定テーブルグループ（ＥＸＥＣＵＴＥＤ＿ＩＮＳＴＲＵＣＴＩＯＮ）が、各命令識別子（ＩＮＳ＿ＩＤ）に対して、少なくとも宛先ジュークボックス識別子（ＪＵＫ＿ＩＤ）および命令送信日（ＥＸＥ＿ＥＸＥＣＵＴＩＯＮ＿ＤＴ）をさらに備えることを特徴とする請求項２２から２５のいずれか一項に記載の映像音声情報再生システムのネットワーク管理装置。
【請求項２７】
第１０のアレイセット（１１１０）が、所与の命令グループ（ＩＮＳ＿ＩＤ）を引き起こすイベントを規定する少なくとも１つの特定テーブルグループ（ＥＶＥＮＴ、ＥＶＥＮＴ＿ＤＥＦ）を備えることを特徴とする請求項２２から２６のいずれか一項に記載の映像音声情報再生システムのネットワーク管理装置。
【請求項２８】
第１１のアレイセット（１１１０）の第１のサブセットが、各ジュークボックスで利用可能な少なくとも１曲を配給するためのプロモーションの設定に関する情報を備え、各プロモーションが、番号（ＰＲＯ＿ＩＤ、ＰＲＩ＿ＩＤ）により識別され、第１１のアレイセット（１１１０）の第２のサブセットが、所定のジュークボックス（ＪＵＫ＿ＩＤ）に適用可能なプロモーションの参照（ＰＲＩ＿ＩＤ、ＰＲＯ＿ＩＤ）を含むことを特徴とする請求項１から２７のいずれか一項に記載の映像音声情報再生システムのネットワーク管理装置。
【請求項２９】
第１１のアレイセット（１１１０）の第１のサブセットが、プロモーションがあるすべての曲（ＣＬＴ＿ＩＤ、ＡＲＴ＿ＩＤ）とプロモーションの開始日と終了日とを規定する少なくとも１つの特定テーブルグループ（ＰＲＯＭＯＴＩＯＮ、ＰＲＯ＿ＰＡＣＫＡＧＥ、ＰＲＯ＿ＰＡＣＫＡＧＥ＿ＣＡＴＡＬＯＧＵＥ、ＰＲＯ＿ＰＡＣＫＡＧＥ＿ＡＲＴＩＳＴ）を備え、第１１のアレイセット（１１１０）の第１のサブセットが、プロモーションが行われる曲の値段の修正（ＰＲＩ＿ＡＭＯＵＮＴ）を備える特定テーブルグループ（ＰＲＩＣＩＮＧ）をさらに備えることを特徴とする請求項２８に記載の映像音声情報再生システムのネットワーク管理装置。
【請求項３０】
プロモーションに含まれる全曲の配給に対して支払う料金の支払が、プロモーションを開始したプロモータに請求されることを特徴とする請求項２８に記載の映像音声情報再生システムのネットワーク管理装置。
【請求項３１】
サーバ（１０）が、少なくとも１つの情報表示領域、少なくとも１つの情報入力領域、少なくとも１つの情報選択領域、またはこれらの組み合わせを備える少なくとも１つのスクリーン（２００〜２７０）を表示するために、データベースの情報を表示するためのモジュールを備え、各選択領域により、データベースにサーバによる情報の収集がなされるかまたは各入力領域に含まれる情報が有効にされ、各表示領域がデータベースにおける引き数の値を含むことを特徴とする請求項１から３０のいずれか一項に記載の映像音声情報再生システムのネットワーク管理装置。
【請求項３２】
情報再生システム（１００．１〜１００．ｎ）への接続手段をもつコンピュータサーバ（１０）を備える映像音声情報再生システムまたはジュークボックスのネットワーク管理プロセスであって、
通信を確立するためにジュークボックスがサーバに接続されるステップと、
ジュークボックスからサーバに少なくとも１つのメッセージを転送するステップと、
通信を確立するジュークボックスを識別し、ジュークボックスの中央管理を制御するデータベースにある少なくとも１つのテーブルを更新するために、サーバがメッセージを処理するステップと、
データベースにある少なくとも１つのテーブルグループにおいて、ジュークボックスを更新するために命令の検索を行うステップと、
メッセージを作成し、データベースにおいて見つけ出された更新命令を含むサーバから、通信を確立するジュークボックスへとメッセージを転送するステップとを含有することを特徴とするプロセス。
【発明の詳細な説明】
【技術分野】
【０００１】
本発明は、映像音声情報再生システムのネットワークを管理するための装置およびそのプロセスに関する。
【背景技術】
【０００２】
国際特許出願公開第９６／１２２５５号には、一般にジュークボックスと呼ばれる映像音声情報再生用装置が開示されている。このジュークボックスは、主に、映像音声再生手段と、一曲の音の再生に少なくとも相当する少なくとも１つの映像音声情報を記憶する手段とを管理するシステムユニットで構成される。システムユニットはまた、特に、ホストサーバから映像音声情報をダウンロードできるようにするモデムなどの遠隔通信手段の管理も行う。新曲の注文や設定変更を管理するためには、オペレータがジュークボックスが設置されている場所を訪れるか、またはオペレータがホストサーバへのリンクをもつコンピュータを使用する必要がある。さらに、ホストサーバとのリンクを介して実行可能な管理動作は、新曲のセレクションの注文に限られる。
【先行技術文献】
【特許文献】
【０００３】
【特許文献１】国際公開第９６／１２２５５号
【発明の概要】
【発明が解決しようとする課題】
【０００４】
したがって、本発明の目的は、映像音声情報再生システムに関するすべての情報を管理し、単純かつ中央集中化させてそれらの動作を管理するために使用可能な映像音声情報再生システムを管理するための装置を提供することにより、従来技術の欠点を解消することである。
【課題を解決するための手段】
【０００５】
この目的を達成するために、映像音声情報再生システムのネットワーク管理装置であって、複数のアレイセットをもつデータベースを具備し、各アレイが、ジュークボックスの構成か、ジュークボックスの使用か、または料金の支払のいずれかに関するグループ化された情報を含み、データベースが、映像音声情報再生システムとの接続手段が設けられたコンピュータサーバにより管理され、第１に、各映像音声情報再生装置により送信され、データベースにある所定のアレイセットの更新に必要な情報を含むメッセージを受信し、第２に、各映像音声情報再生装置にメッセージを送信して、データベースの少なくとも１つのアレイセットに格納されメッセージで送信された情報で、各映像音声情報再生装置のデータまたはプログラムを更新することを特徴とする映像音声情報再生システムのネットワーク管理装置が提供される。
【０００６】
別の特徴によれば、第１のアレイセットが、ジュークボックスの動作状態に関する全般的な情報を備える。
【０００７】
別の特徴によれば、第１のアレイセットが、各ジュークボックスを固有に識別する番号と、ジュークボックスの動作状態と、ジュークボックスの動作を許可するパスワードと、ジュークボックスインストール日とを備える。
【０００８】
別の特徴によれば、データベースにある第２のアレイセットが、各ジュークボックスのハードウェアとソフトウェアの構成に関する情報を備える。
【０００９】
別の特徴によれば、第２のアレイセットが、ジュークボックスで使用可能なすべてのソフトウェアを含むテーブルグループを備え、各プログラムが、少なくともプログラム名と、プログラムのバージョンナンバーにより識別される。
【００１０】
別の特徴によれば、第２のアレイセットが、各所与のジュークボックスに対して、各ジュークボックスにインストールされたプログラム名とバージョンとを含むテーブルグループを備える。
【００１１】
別の特徴によれば、第２のアレイセットが、各ジュークボックスにおいて使用可能なハードウェアコンポーネントのリストを含むテーブルグループを備え、各コンポーネントが番号により識別され、テーブルグループが、コンポーネントがインストールされたジュークボックスの番号に対応する引き数をさらに備える。
【００１２】
別の特徴によれば、第２のアレイセットが、各ソフトウェアの記述を含むテーブルグループ、および／またはソフトウェア間の非互換性をリストするテーブルグループ、および／または各ハードウェアコンポーネントの記述を含むテーブルグループ、および／またはコンポーネントとソフトウェア間の非互換性をリストするテーブルグループ、および／またはハードウェアコンポーネントに関連するソフトウェアのリストを含むテーブルグループを備える。
【００１３】
別の特徴によれば、第３のアレイセットが、すべてのジュークボックスに対する種々の動作および設定パラメータセットのすべての可能な値を含む第１のサブセットを備え、各パラメータセットの値が、固有番号により識別される。
【００１４】
別の特徴によれば、第３のアレイセットの第２のサブセットが、各ジュークボックス識別子に対して、第１のグループの第１のサブセットにあるテーブルグループに含まれた動作および設定パラメータセットの識別子を関連付ける。
【００１５】
別の特徴によれば、パラメータセットが、第１のテーブルグループにある種々の可能なパスワード、および／または第２のテーブルグループにある曲の値段、および／または第３のテーブルグループにあるジュークボックスの遠隔制御の設定、および／または第３のテーブルグループにおいて使用可能な無料の曲の数、および／または第４のテーブルグループにあるインターネット接続要素を含む。
【００１６】
別の特徴によれば、第４のテーブルセットが、所与の識別子番号をもつジュークボックスで利用可能な曲番号のリストを決定する。
【００１７】
別の特徴によれば、第５のアレイセットが、データベースにある曲のバンクを構成するすべての曲、アーティストおよびアルバムの記述を備え、各曲が番号により識別される。
【００１８】
別の特徴によれば、第５のアレイセットが、曲のバンクにある各曲の記述と各ジュークボックスで利用可能であるか否かの記述を含むテーブルグループと、曲のバンクにある各アルバムの記述と各ジュークボックスで利用可能であるか否かの記述を含むテーブルグループと、曲のバンクにある各アーティストまたはアーティストグループの記述を含むテーブルグループとを備える。
【００１９】
別の特徴によれば、第６のアレイセットが、オペレータにより選択された少なくとも１曲をダウンロードさせないための、各ジュークボックスのフィルタの配置に関する情報を含む。
【００２０】
別の特徴によれば、第６のアレイセットが、各ジュークボックスに設置され、少なくとも１人の所定のアーティスト、および／または少なくとも１つの所定の曲カテゴリー、および／または少なくとも１つの所定のディスク発行者、および／または少なくとも１曲の所定の曲に適用可能であるすべてのフィルタに対して規準を規定する複数のテーブルグループを備え、各フィルタが、アレイに記述され、フィルタを識別する固有番号により識別される。
【００２１】
別の特徴によれば、第１のアレイセットが、所定のジュークボックスに適用されるフィルタの識別子に対応する引き数を備える。
【００２２】
別の特徴によれば、第７のアレイセットが、各ジュークボックスを所有はたまレンタルするオペレータに関する情報を備える。
【００２３】
別の特徴によれば、第８のアレイセットが、各ジュークボックスの使用の履歴を含む。
【００２４】
別の特徴によれば、第８のアレイセットが、各映像音声情報再生装置に配給された曲の全識別子のリストを含むテーブルグループを備え、このアレイが、所定の映像音声情報再生装置により、ジュークボックスに配給された曲のリストを含むリポートファイルを受信すると、サーバにより更新される。
【００２５】
別の特徴によれば、第９のアレイセットが、各ジュークボックスの料金およびレンタル費の計算に必要な情報を備える。
【００２６】
別の特徴によれば、第１０のアレイセットが、少なくとも１つの映像音声情報再生装置を更新するためのすべての命令を備え、これらの命令は、映像音声情報再生装置がサーバとの通信を確立するとすぐに、サーバに関係する映像音声情報再生装置に送信される。
【００２７】
別の特徴によれば、第１０のアレイセットが、所定のジュークボックスに対する更新命令と、ジュークボックスで命令が実行されなければならない順番、および／またはサーバがジュークボックスに命令を送信するのを開始する日を識別するテーブルグループを備える。
【００２８】
別の特徴によれば、第１１のテーブルセットに含まれる命令は、サーバがジュークボックスに命令を送信可能となる開始日前に記憶される。
【００２９】
別の特徴によれば、第１０のアレイセットが、各ジュークボックスで可能な更新命令を含む複数のテーブルグループを備え、ソフトウェアの更新か、新しいアルバムの追加か、新曲の追加か、ジュークボックスでのコンピュータファイルの管理か、またはジュークボックスの動作パラメータの修正のいずれかに各命令が関係する。
【００３０】
別の特徴によれば、第１０のアレイセットが、各ジュークボックスに正確に送信された命令の全識別子を備える特定テーブルグループを備え、特定テーブルグループが、各命令識別子に対して、少なくとも宛先ジュークボックス識別子および命令送信日をさらに備える。
【００３１】
別の特徴によれば、第１０のアレイセットが、所与の命令グループを引き起こすイベントを規定する少なくとも１つの特定テーブルグループを備える。
【００３２】
別の特徴によれば、第１１のアレイセットの第１のサブセットが、各ジュークボックスで利用可能な少なくとも１曲を配給するためのプロモーションの設定に関する情報を備え、各プロモーションが、番号により識別され、第１１のアレイセットの第２のサブセットが、所与のジュークボックスに適用可能なプロモーションの参照を含む。
【００３３】
別の特徴によれば、第１１のアレイセットの第１のサブセットが、プロモーションがあるすべての曲と、プロモーションの開始日と終了日とを規定する少なくとも１つの特定テーブルグループを備え、第１１のアレイセットの第１のサブセットが、プロモーションが行われる曲の値段の修正を備える特定テーブルグループをさらに備える。
【００３４】
別の特徴によれば、プロモーションに含まれる全曲の配給に対して支払う料金の支払が、プロモーションを開始したプロモータに請求される。
【００３５】
別の特徴によれば、サーバが、少なくとも１つの情報表示領域、および／または少なくとも１つの情報入力領域、および／または少なくとも１つの情報選択領域を備える少なくとも１つのスクリーンを表示するために、データベースの情報を表示するためのモジュールを備え、各選択領域により、データベースにサーバによる情報の収集がなされるかまたは各入力領域に含まれる情報が有効にされ、各表示領域が、データベースにおける引き数の値を含む。
【００３６】
本発明の第２の目的は、映像音声情報再生システムまたはジュークボックスのネットワーク管理プロセスを提案することである。
【００３７】
この第２の目的を達成するために、情報再生システムへの接続手段をもつコンピュータサーバを備える映像音声情報再生システムまたはジュークボックスのネットワーク管理プロセスであって、
−通信を確立するためにジュークボックスがサーバに接続されるステップと、
−ジュークボックスからサーバに少なくとも１つのメッセージを転送するステップと、
−通信を確立するジュークボックスを識別し、ジュークボックスの中央管理を制御するデータベースにある少なくとも１つのテーブルを更新するために、サーバがメッセージを処理するステップと、
−データベースにある少なくとも１つのテーブルグループにおいて、ジュークボックスを更新するために命令の検索を行うステップと、
−メッセージを作成し、データベースにおいて見つけ出された更新命令を含むサーバから、通信を確立するジュークボックスへとメッセージを転送するステップとを含有することを特徴とするプロセスが提供される。
【００３８】
本発明の他の特徴および利点は、添付の図面を参照しながら以下の記載を読むことにより明らかになるであろう。
【図面の簡単な説明】
【００３９】
【図１】本発明によるサーバを用いたシステムのブロック図である。
【図２】本発明によるシステムにより使用されるサーバのデータベース構造の簡略化したフローチャートである。
【図３Ａ】本発明によるシステムにより使用されるデータベース構造の詳細なフローチャートである。
【図３Ｂ】本発明によるシステムにより使用されるデータベース構造の詳細なフローチャートである。
【図３Ｃ】本発明によるシステムにより使用されるデータベース構造の詳細なフローチャートである。
【図３Ｄ】本発明によるシステムにより使用されるデータベース構造の詳細なフローチャートである。
【図３Ｅ】本発明によるシステムにより使用されるデータベース構造の詳細なフローチャートである。
【図３Ｆ】本発明によるシステムにより使用されるデータベース構造の詳細なフローチャートである。
【図４】映像音声再生装置の例を示す図である。
【図５Ａ】データベースの情報を表示するために使用されるアレイを示す図である。
【図５Ｂ】データベースの情報を表示するために使用されるアレイを示す図である。
【図５Ｃ】データベースの情報を表示するために使用されるアレイを示す図である。
【図５Ｄ】データベースの情報を表示するために使用されるアレイを示す図である。
【図５Ｅ】データベースの情報を表示するために使用されるアレイを示す図である。
【図５Ｆ】データベースの情報を表示するために使用されるアレイを示す図である。
【図５Ｇ】データベースの情報を表示するために使用されるアレイを示す図である。
【図５Ｈ】データベースの情報を表示するために使用されるアレイを示す図である。
【発明を実施するための形態】
【００４０】
本発明による映像音声再生装置の遠隔管理システムを詳細に記載する前に、映像音声再生装置の構成とその動作モードについて述べることにする。
【００４１】
図４は、映像音声情報再生装置の一例を示す。このタイプの装置は、本願と同一の出願人により出願された国際特許出願公開第９６／１２２５５号に詳細に記載されている。この映像音声情報再生装置は、以下に記載し参照するハードウェアコンポーネントを使用することが好ましいが、これは制限的なものではない。
【００４２】
マイクロプロセッサを備えるシステムユニット１は、高性能ＰＣ互換システムであり、少なくとも以下のメモリ手段と特性をもつＩｎｔｅｌ  Ｐｅｎｔｉｕｍ（登録商標）タイプのシステム用に実現時に選択されたものである。
【００４３】
−ＶＥＳＡローカルバスとの互換性
−プロセッサキャッシュメモリ：２５６キロバイト
−ＲＡＭメモリ：３２メガバイト
−高性能シリアルおよびパラレルポート
−マイクロプロセッサ制御ＳＶＧＡタイプグラフィックアダプタ
−ＳＣＳＩ／２タイプバスコントローラ
−自己電源型スタティックＲＡＭメモリ
同等またはより高性能の任意の他のシステムユニットが、本発明において使用されてよい。
【００４４】
このシステムユニットは、音声制御回路５と、遠隔通信制御回路４と、入力制御回路３と、マスメモリ制御回路２と、ディスプレイ手段６２の制御回路６とを制御し管理する。ディスプレイ手段は、主に、ＳＶＧＡタイプのフラットスクリーン、高解像度、低放射の非インタレース式ビデオモニタ６２からなる。これは、画像再生（例えば、音楽セレクション用のアルバムカバー）用や、グラフィックおよびビデオクリップを表示するために使用されるモニタである。
【００４５】
高速大容量ＳＣＳＩタイプのハードディスクを用いる記憶モジュール２１は、メモリ手段の一部をなし、マイクロプロセッサデバイスにすでにあるメモリ手段と関連づけされる。これらのモジュールは、映像音声情報を記憶するために使用される。
【００４６】
ホストサーバにより制御される映像音声情報配給ネットワークとのリンクを形成するために、２８．８ｋｂｐｓ高速遠隔通信モデムアダプタ４１が含まれる。
【００４７】
音楽セレクションの音声情報を再生するために、システムは、音楽シンセサイザタイプの電子回路５に接続されるアンプチューナ５３からの信号が入力するラウドスピーカ５４を備え、多数の入力源を受けながら、例えば、サウンドカードのようなマイクロプロセッサマルチメディア音声アダプタなどの、ＣＤ（コンパクトディスク）タイプの高品質の出力を提供する。
【００４８】
映像音声再生装置には、「高度な表面波技術」を用いるガラスコーティングパネルを含むタッチスクリーン３３を管理する入力制御回路３と、ＡＴタイプのバスコントローラが設けられる。モニタの前に配置されたこのタッチスクリーンは、ビデオモニタディスプレイ６２上またはテレビジョンスクリーン６１上で、顧客により使用されるさまざまな選択情報や、システム管理者や所有者により使用される注文管理制御情報を選択するために使用されてよい。また、目的に合ったキーボードコネクタが設けられたシステムに接続可能な外部キーボード３４が使用されてもよく、管理用にインタフェース回路３を介してキーロック３２により制御される。
【００４９】
また、入力インタフェース回路３には、料金支払装置３５も接続されている。硬貨、チケット、トークン、磁気カードやスマートカード、または支払手段の組み合わせによりあらゆる支払方法を受け入れ可能な任意の他の装置が使用されてよい。
【００５０】
このシステムは、スチールフレームまたはラックに設置される。
【００５１】
これらの構成要素とは別に、音声コントローラ５には、コードレスマイクロフォン５５が接続されて、音声コントローラを効果的な公開アドレス（ａｄｄｒｅｓｓ）および公開情報システムに変え、さらにはカラオケ機に変えることもできる。このシステムは、コードレスラウドスピーカのシステムを使用してよい。
【００５２】
また、映像音声情報再生装置は、読み出しまたは書き込み動作が実行されるときのみ電源供給され、不揮発性メモリのシリアルナンバーを格納可能な集積回路（図示せず）を備える。オペレーティングシステムは、特に、ジュークボックスのシリアルナンバーと種々の動作パラメータとを保持するために、制御回路を介して回路に情報を読み出しまたは書き込み可能である。この回路を、従来技術では「Ｉｂｕｔｔｏｎ」と呼ぶ。
【００５３】
システムにおけるオペレーティングソフトウェアは、特にマルチメディアの世界の映像音声分野用のツールおよびサービスのライブラリ周辺で生成された。このライブラリは、複数のコードフラグメントを効率的に同時に実行可能な高性能マルチタスクオペレーティングシステムを含むことが好ましい。このオペレーティングソフトウェアにより、規則正しい並列実行が可能となるため、ディスプレイ手段、音声再生手段および分散ネットワークを介する遠隔通信リンクの管理との間でのあらゆる衝突が回避される。さらに、このソフトウェアは、極めてフレキシブルである。
【００５４】
本願明細書の残りの記載において、「映像音声情報再生装置」と「ジュークボックス」という用語は同じものをさす。
【００５５】
図１は、本発明による装置のブロック図を示す。従来技術によれば、各映像音声再生装置（１００．１〜１００．ｎ）が、ホストサーバ１０と、その遠隔通信手段、さらには例えば、テレフォンネットワーク３０に接続されたモデムカード４１を介して通信する。ホストサーバ１０は、例えば、テレフォンネットワークに接続された少なくとも１つのモデムなど、この目的のための通信手段１２１、１１１を備える。また、ホストサーバ１０は、各映像音声再生装置（１００．１〜１００．ｎ）の動作に関するすべての情報、言い換えれば、映像音声再生装置（１００．１〜１００．ｎ）の動作パラメータ、その識別番号、各映像音声再生装置（１００．１〜１００．ｎ）に格納された曲のリスト、映像音声再生装置（１００．１〜１００．ｎ）の１つのグループの管理を担当する各オペレータに関するすべての情報を含むデータベース１１を備える。また、このデータベースは、各映像音声再生装置（１００．１〜１００．ｎ）の使用に関する統計データ、言い換えれば、演奏された曲のリストおよび各曲が演奏された日にち、各映像音声再生装置（１００．１〜１００．ｎ）の使用中、特にそのスイッチが切られたとき、通信中断中に起こったすべての出来事のリストおよび日にち、そしてお金の投入や提示された支払を支払手段が拒絶した回数に関する統計データを含む。同様に、データベースは、ホストサーバメモリ手段１０に格納された利用可能な曲のリストと、これらの曲の再生に必要な映像音声情報と、各映像音声再生装置（１００．１〜１００．ｎ）用のオペレーティングシステムをインストールするのに必要な設定ツールとを備える。データベース１１に含まれるすべての情報は、各映像音声再生装置（１００．１〜１００．ｎ）用のテレフォンネットワークおよびモデムと、データベースすなわちホストサーバ１０とを介した通信、例えば、周期的な通信手段により更新される。
【００５６】
以下、図２および図３Ａ〜３Ｆを参照して、本発明による装置で使用される例示的なデータベース１１を記載する。データベース１１にあるすべての情報は、アレイ形式で格納される。各アレイは、映像音声情報再生システム（１００．１〜１００．ｎ、図１）のテーマや構造または特定の機能についての情報を含む。各情報アイテムは、データベース１１のアレイに含まれる引き数により識別される。１つのアレイにある情報は、別のアレイにリンクされてよい。このリンクは、少なくとも１つの引き数が２つのアレイに共通するときに確立される。
【００５７】
本発明によれば、データベース１１は、映像音声情報再生装置（１００．１〜１００．ｎ、図１）に直接関する情報、例えば、その動作状態（ＪＵＫ＿ＳＴＡＴＵＳ、図３Ａ）、その識別番号（ＪＵＫ＿ＩＤ、図３Ｃ）、または利用可能なメモリ空間（ＪＵＫ＿ＡＶＡＩＬＡＢＬＥ＿ＳＰＡＣＥ、図３Ａ）の情報を表す少なくとも１つの第１のアレイセット（１１０１、ＪＵＫＥＢＯＸ、図２、図３Ａおよび図３Ｅ）を備える。この第１のアレイセット１１０１にある各テーブルは、識別番号（ＪＵＫ＿ＩＤ、図３Ａ）によりこのテーブルにおいて識別された映像音声情報再生装置（１００．１〜１００．ｎ、図１）を表す。同様に、第１のアレイセット（１１０１、図３Ａ）にあるテーブルに含まれた情報は、ジュークボックスからメッセージが受信されるとき更新可能である。これは、データベースに含まれる情報が更新される必要があるかを確認するために、受信したメッセージを処理するサーバ（１０、図１）との通信を確立するとすぐに、ジュークボックスにより行われる。メッセージがジュークボックスの状態の変更に関する情報を含むものであれば、サーバは、受信した変更に関係するジュークボックスの第１のアレイセット（１１０１、図３Ａ）にあるテーブルの引き数を修正する。
【００５８】
この第１のアレイセット（１１０１、図３Ａ）は、映像音声情報再生装置（１００．１〜１１０．ｎ、図１）で出会う可能性のあるハードウェアおよびソフトウェアの要素に関する情報を表す少なくとも１つの第２のアレイセット（１１０２、ＳＯＦＴＷＡＲＥ、ＦＩＲＭＷＡＲＥ、ＣＯＭＰＯＮＥＮＴ、図３Ｂおよび図３Ｄ）に関係する。第２のアレイセット（１１０２、図３Ｂおよび図３Ｄ）のアレイは、特に、名前（ＰＧＤ＿ＮＡＭＥ、ＣＯＤ＿ＩＤ、図３Ｂ）、バージョン（ＰＧＭ＿ＶＥＲＳＩＯＮ、図３Ｂ）および各ソフトウェアまたはハードウェアコンポーネントのインストール日（ＰＧＭ＿ＲＥＬＥＡＳＥ＿ＤＴ、図３Ｂ）をアレイ（ＳＯＦＴＷＡＲＥ、図３Ｂ）に備える。第２のアレイ（１１０２、図３Ｂおよび図３Ｄ）の各列は、ソフトウェアコンポーネントまたはハードウェアコンポーネントに対応する。第２のアレイセット（１１０２、図３Ｂおよび図３Ｄ）にある少なくとも１つのテーブルと、第１のアレイセット（１１０１、図３Ａおよび図３Ｅ）にあるテーブルとの間は、映像音声情報再生装置（１００．１〜１００．ｎ、図１）の番号を用いてリンクされる。したがって、このリンクを用いて、映像音声情報再生装置（１００．１〜１００．ｎ）の識別番号を含む列を各第２のアレイで検索することにより、所与の番号をもつ映像音声情報再生装置（１００．１〜１００．ｎ、図１）のすべてのソフトウェアおよびハードウェアコンポーネントをサーバが把握できる。
【００５９】
また、第１のアレイセット（１１０１、図２、図３Ａおよび図３Ｅ）は、映像音声情報再生装置（１００．１〜１００．ｎ、図１）の設定に関する情報を表す第３のアレイセット（１１０３、ＪＵＫＥ＿ＸＸＸ、ＩＢ＿ＸＸＸ、図３Ａおよび図３Ｃ）にも関係する。第３のアレイセット（１１０３、ＩＢ＿ＸＸＸ、図３Ａおよび図３Ｃ）にある第１のアレイグループが、映像音声情報再生装置（１００．１〜１００．ｎ、図１）のすべての動作パラメータを含み、第３のアレイセット（１１０３、ＪＵＫ＿ＸＸＸ、図３Ａおよび図３Ｃ）にある第２のアレイグループが、第３のアレイセット（１１０３、ＩＢ＿ＸＸＸ、図３Ａおよび図３Ｃ）のアレイグループに含まれる所与のパラメータセットをもつ各ジュークボックスを関連づける。動作パラメータは、テーブル（ＪＵＫ＿ＭＩＸＡＧＥ、図３Ａ）にあるジュークボックス用に規定されたアンプボリュームを制御するパラメータ、Ｉ−ｂｕｔｔｏｎテーブル（ＩＢ＿ＭＩＸＡＧＥ、図３Ａ）のテーブルにある同じジュークボックス用に規定されたパラメータ、少なくとも一曲の選択にかかる支払価格（ＩＢおよびＪＵＫ＿ＴＵＮＥ＿ＣＯＳＴ）に関するパラメータ、サーバ（１０、図１）との遠隔通信リンクパラメータ（ＪＵＫ＿ＩＳＰ）、または映像音声情報再生装置（１００．１〜１００．ｎ、図１）の遠隔制御用の動作パラメータを含む。これらのパラメータは、（ＪＵＫ＿ＲＥＭＯＴＥ＿ＣＯＮＴＲＯＬ、図３Ｃ）テーブルのジュークボックス用に規定され、すべてのジュークボックス用のすべての遠隔制御動作パラメータは、（ＩＢ＿ＲＥＭＯＴＥ＿ＣＯＮＴＲＯＬ、図３Ｃ）テーブルに規定され、映像音声情報再生装置（１００．１〜１００．ｎ、図１）は、第３のアレイセット（１１０３、図３Ａおよび図３Ｃ）にあるテーブル（ＪＵＫ＿ＴＵＮＥ＿ＣＯＳＴ、ＩＢ＿ＴＵＮＥ＿ＣＯＳＴ、ＪＵＫ＿ＲＥＭＯＴＥ＿ＣＯＮＴＲＯＬ、ＩＢ＿ＲＥＭＯＴＥ＿ＣＯＮＴＲＯＬ、図３Ｃ）と毎回関連付けされる。テーブルの各列は、所与の番号（ＪＵＫ＿ＩＤ、図３Ａおよび図３Ｃ）をもつ映像音声情報再生装置（１００．１〜１００．ｎ、図１）用の動作パラメータを格納する。第１および第３のアレイセット（１１０３、図３Ａおよび図３Ｃ）との間は、例えば、映像音声情報再生装置（１００．１〜１００．ｎ、図１）の識別番号を用いてリンクされてよい。このようにして、サーバ１０は、このリンクを用いて、決定された映像音声情報再生装置（１００．１〜１００．ｎ、図１）の番号（ＪＵＫ＿ＩＤ、図３Ａおよび図３Ｃ）を含むテーブルを各第３のアレイセット（１１０３、図３Ａおよび図３Ｃ）において検索して、見つけ出された参照に対応するパラメータのセットをこれらのテーブルの列において検索することにより、所与の番号をもつ映像音声情報再生装置（１００．１〜１００．ｎ、図１）のすべての動作パラメータを見つけ出すことができる。同様に、ジュークボックスからメッセージが受信されたときに、サーバは第３のアレイセット（１１０３、図３Ａおよび図３Ｃ）に含まれる情報を更新することができる。これは、データベースに含まれる情報を更新する必要があるかを決定するために、ジュークボックスがサーバとの更新に入るとすぐに受信メッセージを処理するサーバにより行われる。メッセージが物理パラメータの修正に関する情報を含めば、サーバは新しいテーブルを追加するか、または第３のアレイセット（１１０３、図３Ａおよび図３Ｃ）に関係するテーブルの列に修正により与えられる値を置き換える。
【００６０】
また、第１のアレイセット（１１０１、図２、図３Ａおよび図３Ｅ）は、映像音声情報再生装置（１００．１〜１００．ｎ、図１）でダウンロードされた曲に関する情報を表す少なくとも第４のアレイセット（１１０４、ＳＯＮＧ、図２および図３Ａ）にも関係する。各曲は、特有の番号（ＣＬＴ＿ＩＤ、図２および図３Ａ）により識別される。第４のアレイセット（１１０４、図２および図３Ａ）にあるテーブルの各列は、テーブルの最初にある識別子により識別された映像音声情報再生装置（１００．１〜１００．ｎ、図１）に格納された曲を表す。ジュークボックスは、定期的に（例えば、毎日）メッセージをサーバに送信する。このメッセージは、ジュークボックスにインストールしたすべての曲のリストを含む。したがって、サーバは、受信するリストと、同じジュークボックスから受信した前のリストとを比較し、新曲があるか否かをチェックする。新曲があれば、サーバは、１曲以上の新曲の追加に対応するテーブルをジュークボックスで利用可能なリストに追加する。
【００６１】
曲識別番号（ＣＬＴ＿ＩＤ、図２および図３Ａ）により第４のアレイセット（１１０４、ＳＯＮＧ，図２および図３Ａ）に関係する第５のアレイセット（１１０５、ＣＡＴＡＬＯＧＵＥ、図２および図３Ｂ）が、データベースにある各曲の記述を備える。第５のアレイ（１１０５、図２および図３Ｂ）の各列は、データベース（１１、図１）にある曲の記述を表す。この第５のアレイセット（１１０５、図２および図３Ｂ）は、特に、オペレータのリクエストにより映像音声情報再生装置（１００．１〜１００．ｎ、図１）でダウンロードしたい曲が利用可能であるか否かを決定するために用いられる。特に、曲のコピーおよび演奏に関する同意が得られなければ、曲を入手することはできない。これらの同意が得られなければ、曲はデータベースに存在するが、ジュークボックスへのダウンロードを行うために利用不可能である。第１のアレイセット（１１０１、図２および図３Ａ）と、第４のアレイセット（１１０４、図２および図３Ａ）との間は、映像音声情報再生装置（１００．１〜１００．ｎ、図１）の識別番号（ＪＵＫ＿ＩＤ、図３Ａ）によりリンクされる。
【００６２】
また、第４のアレイセット（１１０４、図２および図３Ａ）は、オペレータが特定のテーブルのグループにより決定される１曲または複数の曲のダウンロードを禁止するために使用可能なフィルタに関する情報を表す第６のアレイセット（１１０６、図２および図３Ｂ）にも関係する。１曲（または複数曲）は、曲の識別番号（ＦＬＴ＿ＣＡＴＡＬＯＧＵＥ、図２および図３Ｂ）により識別される特定のテーブルの第１のグループ、曲のアーティスト識別番号（ＦＬＴ＿ＡＲＴＩＳＴ、図２および図３Ｂ）により識別される特定のテーブルの第２のグループ、曲を発行する会社の識別番号（ＦＬＴ＿ＬＡＢＥＬ、図２および図３Ｂ）により識別される特定のテーブルの第３のグループ、または曲が属するカテゴリーの識別番号（ＦＬＴ＿ＣＡＴＥＧＯＲＹ、図３Ｂ）により識別される特定のテーブルの第４のグループにより識別される。第６のアレイセット（１１０６、図２および図３Ｂ）にあるテーブルの各グループは、曲、アーティスト、ディスク発行者、またはカテゴリーの所与のフィルタを表す。また、第６のアレイセット（１１０６、図２および図３Ａ）にあるテーブル（ＪＵＫ＿ＦＩＬＴＥＲ、図２および図３Ｂ）の１つは、第１のアレイセット（１１０１、図３Ａ）にリンクされ、各テーブル（ＪＵＫＥＢＯＸ、１１０１、図３Ａ）にある所与のジュークボックス識別子（ＪＵＫ＿ＩＤ）に関連するフィルタ識別番号（ＪＵＦ＿ＩＤ）により各ジュークボックスに割り当てられたフィルタの記述（ＪＵＫ＿ＤＥＳＣ、図３Ｂ）を備える。また、第１のアレイ（１１０１、図３Ａ）は、フィルタ番号（ＪＵＦ＿ＩＤ）に対応する引き数も含む。したがって、所与のジュークボックスにあるフィルタは、フィルタ番号（ＪＵＦ＿ＩＤ）を含むテーブルを第６のアレイセット（１１０６、図２および図３Ｂ）において検索することにより規定される。同様に、オペレータは、同じフィルタ番号を１つまたは複数の映像音声情報再生システム（１００．１〜１００．ｎ、図１）に割り当てることができる。
【００６３】
また、第１のアレイ（１１０１、図３Ａおよび図３Ｅ）は、映像音声情報再生システム（１００．１〜１００．ｎ、図１）のオペレータに関する情報を表す第７のアレイセット（１１０７、ＪＵＫＥ＿ＬＯＣＡＴＩＯＮ、図３Ａ）にも識別子（ＪＵＫ＿ＩＤ）により関係する。この情報は、特に、各オペレータに固有のテーブル（ＯＰＥＲＡＴＯＲ、図３Ａ）にアクセスするオペレータ識別子（ＯＰＥ＿ＩＤ、図３Ａ）を備える。第７のアレイセット（１１０７、図３Ａ）の各アレイ（ＷＡＲＥＨＯＵＳＥ、ＡＤＤＲＥＳＳ、ＣＯＮＴＲＡＣＴ、図３Ａ）は、所与のオペレータに関連するテーブルに対応する。第１のアレイ（１１０１、図３Ａ）と第７のアレイ（１１０７、図３Ａ）との間は、オペレータ識別子（ＯＰＥ＿ＩＤ）により関係付けられる。したがって、これを達成するために、第１のアレイ（１１０１、図３Ａ）は、ジュークボックス位置決めテーブル（ＪＵＫＥ＿ＬＯＣＡＴＩＯＮ、図３Ａ）において映像音声情報再生装置（１００．１〜１００．ｎ、図１）の所有者または賃借者のオペレータに対応する関連する引き数（ＯＰＥ＿ＩＤ）を見つけ出すために使用される引き数（ＪＵＫ＿ＩＤ）を含む。したがって、特に、このような関係により、所与のオペレータ番号のオペレータにより管理される映像音声情報再生装置（１００．１〜１００．ｎ、図１）の番号をサーバが決定できる。また、第７のアレイセット（１１０７、図３Ａ）にある（ＪＵＫＥ＿ＬＯＣＡＴＩＯＮ、図３Ａ）テーブルは、インストール条件がレンタルの場合、ジュークボックのインストール日（ＪＵＬ＿ＳＴＡＲＴ＿ＤＴ）と、レンタル満了日とを含む。
【００６４】
また、第１のアレイセット（１１０１、図２、図３Ａおよび図３Ｅ）は、映像音声情報再生装置（１００．１〜１００．ｎ、図１）用のログに関する情報を表す第８のアレイセット（１１０８、図３Ａおよび図３Ｅ）にも関係する。この情報は、実際、各映像音声情報再生装置（１００．１〜１００．ｎ、図１）で起こるすべてのイベントを表し、特に、曲が演奏される度に、第８のアレイセット（１１０８、ＰＬＡＹ＿ＬＯＧ、図３Ａ）にあるテーブルに列が書き込まれる。同様に、映像音声情報再生装置（１００．１〜１００．ｎ、図１）にお金が投入される度に、例えば、同じタイプ（ＳＹＳＴＥＭ＿ＬＯＧ、図３Ａ）の別の列に新しい列が書き込まれる。特に、これらのアレイにおいて収集された情報は、演奏曲のアーティスト、発行者またはライターに支払うべき料金を計算し、さらに所定の映像音声情報再生装置（１００．１〜１００．ｎ、図１）で、一日、一週間または所与の期間中にどの曲が演奏されたかを正確に把握するために使用される。
【００６５】
例えば、料金計算に関する情報は、第８のアレイセット（１１０８、図３Ｅおよび図３Ａ）に関係するテーブル（ＪＵＫＥ＿ＤＡＹ＿ＲＥＰＯＲＴ、図３Ｆ）のグループからなる第９のアレイセット（１１０９、図３Ｆ）に中央集中化されてよい。第８のアレイセット（１１０８、ＳＹＳＴＥＭ＿ＬＯＧ、ＰＬＡＹ＿ＬＯＧ、図３Ｅおよび図３Ａ）は、サーバとジュークボックスとの間の通信のセットアップ中にサーバがログファイルを受信する度に更新される。ジュークボックスにより送信されるログファイルに含まれる各イベントは、サーバにより処理される。この処理は、各イベントごとに第８のアレイセットにあるテーブル（１１０８、ＳＹＳＴＥＭ＿ＬＯＧ、ＰＬＡＹ＿ＬＯＧ、図３Ａおよび図３Ｅ）の１つに列を追加することからなる。例えば、２つのカテゴリー内にイベントが格納されてよい。第１のイベントは、ジュークボックスで演奏される曲であり、アレイグループ（ＰＬＡＹ＿ＬＯＧ、図３Ａ、図３Ｅおよび図３Ｆ）に記憶され、第２のイベントは、例えば、支払手段へのお金の投入など、ジュークボックスに起こった他の動作であり、図３Ａおよび図３ＥにあるアレイのＳＹＳＴＥＭ＿ＬＯＧグループに記憶される。
【００６６】
同様に、ジュークボックスで作成された曲のコピーは、曲の発行者に対するロイヤルティ支払により支払われる。これを行うために、第４および第５のアレイセット（１１０４、１１０５、図３Ａ、図３Ｂおよび図２）は、各ジュークボックスでの曲数を決定するのに必要なすべての情報を備える。第４のアレイセット（ＳＯＮＧ、１１０４、図３Ａ）は、各ジュークボックスに格納されたすべての曲のリストを含む。第１のテーブルセット（ＭＡＳＴＥＲ＿ＣＡＴＡＬＯＧＵＥ）が、各ジュークボックスに最初にインストールされた曲のリストを決定するために使用され、第５のアレイセット（ＣＡＴＡＬＯＧＵＥ）は、各曲を識別し、特に、各曲のロイヤルティの額やその受取人を決定するために使用される。その後、第７のアレイセット（１１０７、図３Ａ）にあるアレイ（ＣＯＮＴＲＡＣＴ、図３Ａ）を使用することにより、ロイヤルティが割り当てられる。
【００６７】
最後に、ジュークボックスオペレータは、ジュークボックスを使用する度に料金を課金されるであろう。この固定料金は、第８のアレイセットにあるテーブルグループ（１１０８、ＳＹＳＴＥＭ＿ＬＯＧ、図３Ａおよび図３Ｅ）を用いて請求される。このテーブルグループにおける各テーブルは、各ジュークボックスで起こるイベントに対応する。したがって、ジュークボックスにお金が投入される度に、別のテーブルが追加される。この第８のアレイセットは、毎日およびオペレータの各ジュークボックスごとに各ジュークボックス内に投入されるお金を規定する第９のアレイセット（１１０９、ＪＵＫＥＢＯＸ＿ＲＥＰＯＲＴ、図３Ｆ）におけるテーブルグループに関係する。同様に、一日の間に実行される動作の詳細は、第９のアレイセット（１１０９、ＪＵＫＥＢＯＸ＿ＲＥＰＯＲＴ、図３Ｆ）における別のテーブルグループにより各ジュークボックスごとに決定可能である。
【００６８】
また、第１のアレイセット（１１０１、図２、図３Ａおよび図３Ｅ）は、少なくとも１つの決定された映像音声情報再生装置（１００．１〜１００．ｎ、図１）に送信される命令に関する情報を表す少なくとも１つの第１０のアレイセット（１１１０、ＩＮＳＴＲＵＣＴＩＯＮ、図３Ｆ）にも関係する。第１０のアレイセット（１１１０、ＩＮＳＴＲＵＣＴＩＯＮ＿ＤＥＦ、図３Ｆ）にある少なくとも１つのテーブルグループは、命令の記述（ＩＮＳ＿ＤＥＳＣ、図３Ｆ）を含む。同様に、第１のアレイセット（１１０１、図２、図３Ａおよび図３Ｆ）と、第１０のアレイセット（１１１０、図３Ｆ）との間は、映像音声情報再生装置（１００．１〜１００．ｎ、図１）の識別番号（ＪＵＫ＿ＩＤ）を用いて関係付けられる。したがって、決定された映像音声情報再生装置（１００．１〜１００．ｎ、図１）用のすべての命令は、サーバにより収集され、サーバとの通信が確立されると、識別されたジュークボックスでダウンロード可能である。例えば、これらの命令は、映像音声情報再生装置（１００．１〜１００．ｎ、図１）にインストールされた少なくとも１つのソフトウェアの更新（ＩＮＳ＿ＳＯＦＴＷＡＲＥ、図３Ｆ）、映像音声情報再生装置（１００．１〜１００．ｎ、図１）のオペレータにより注文された新曲のダウンロード（ＩＮＳ＿ＣＡＴＡＬＯＧＵＥ、ＩＮＳ＿ＡＬＢＵＭ、図３Ｆ）、または映像音声情報再生装置（１００．１〜１００．ｎ、図１）の動作パラメータの修正（ＩＮＳ＿ＩＢＵＴＴＯＮ）であってよい。ジュークボックス識別（ＪＵＫ＿ＩＤ）と、このジュークボックスに送信される命令の識別（ＩＮＳ＿ＩＤ）とを含むテーブルグループ（１１１０、ＩＮＳＴＲＵＣＴＩＯＮ、図３Ｆ）は、第１０のアレイセット（１１１０、図３Ｆ）に格納された命令がサーバ１０との通信を確立したばかりの映像音声情報再生装置（１００．１〜１００．ｎ、図１）により使用されるか否かを検証するために、映像音声情報再生装置（１００．１〜１００．ｎ、図１）がサーバとの通信を確立するときにサーバ１０により体系的に読み出される。第１０のアレイセットにおける種々のテーブルグループとの間は、命令識別番号（ＩＮＳ＿ＩＤ）を用いてリンクされる。第１０のアレイセット（１１１０、図３Ｆ）に含まれる命令のセットは、これらの命令がジュークボックスに実際に適用される日の前にデータベースに準備され格納されてよい。これらの命令は、ジュークボックスがサーバ１０との通信を確立するときである必要とされる適用日になるまで、ジュークボックスには実際に送信されない。
【００６９】
第１のアレイセット１１０１は、第１１のアレイセット（１１１１、図３Ｂ）にあるテーブルの１つへのアクセス引き数ＰＲＩ＿ＩＤを示す（ＰＲＩＣＩＮＧ、図３Ｂ）テーブルを介してＪＵＫ＿ＩＤによりジュークボックスでのプロモーション動作の設定に関する情報を表す少なくとも１つの第１１のアレイセット（１１１１、ＪＵＫＥ＿ＰＲＯＭＯＴＩＯＮ、図３Ｂ）に関係する。これらの動作は、主に、ジュークボックスでインストールされた数曲の価格を修正することからなる。例えば、プロモーションに関係する曲が、ジュークボックスオペレータ以外のプロモータにより注文されてよい。例えば、これらの曲は注文可能であり、これらの曲の配給料金は、オペレータではなくプロモータにより支払われてよい。プロモーションが行われている曲に関する情報は、第１１のアレイ（１１１１、ＰＲＯ＿ＰＡＣＫＡＧＥ、図３Ｂ）の１つに含まれる。同様に、プロモーションに含まれる曲の価格修正は、第１１のアレイ（１１１１、ＰＲＩＣＩＮＧ、図３Ｂ）の１つに含まれる。プロモータにより注文された曲は、プロモーションに含まれた曲の識別子（ＣＴＬ＿ＩＤ）をグループ化するテーブル（ＰＲＯ＿ＰＡＣＫＡＧＥ＿ＣＡＴＡＬＯＧＵＥ、図３Ｂ）を利用するごとに支払われる。このテーブルは、プロモーションの記述を含むテーブル（ＰＲＯＭＯＴＩＯＮ、図３Ｂ）で曲のグループを識別する引き数（ＰＰＫ＿ＩＤ、図３Ｂ）により関係付けされる。また、このテーブル（ＰＲＯＭＯＴＩＯＮ、図３Ｂ）は、プロモータを識別するために使用可能である。したがって、ロイヤルティを計算する間（上述したように）、ジュークボックスで演奏された曲の識別子がテーブルに含まれているかを決定するために、テーブル（ＰＲＯ＿ＰＡＣＫＡＧＥ＿ＣＡＴＡＬＯＧＵＥ、図３Ｂ）を参照する。ジュークボックスで演奏される曲の識別子がこのテーブルに属するものであれば、曲が属するプロモーションの識別子（ＰＲＯ＿ＩＤ、図３Ｂ）に対応するプロモータにロイヤルティが請求されるであろう。
【００７０】
以下、図３Ａ〜図３Ｆを参照して、データベースにある複数の特定テーブルグループについて、非制限的に記載する。
【００７１】
ＡＣＴＩＯＮ特定テーブルグループは、第８のアレイセット（１１０８、図３Ａおよび図３Ｆ）に属し、ジュークボックス（ＪＵＫ＿ＩＤ）に関連する特定テーブルグループＳＹＳＴＥＭ＿ＬＯＧ（以下に記載）において用いられるアクションの定義を含む。各アクションは、コード（ＡＣＴ＿ＣＯＤ）によりＡＣＴＩＯＮ特定テーブルグループにおいて識別される。同様に、各ＡＣＴＩＯＮ特定テーブルは、特定のアクションに対応する。したがって、例えば、アクションコード（ＡＣＴ＿ＣＯＤＥ）が「Ｍ」に等しいＡＣＴＩＯＮテーブルは、ジュークボックスに所与の金額を投入することからなるアクションの記述を含む。
【００７２】
ＡＤＤＲＥＳＳ特定テーブルグループは、第７のアレイセット（１１０７、図３Ａ）に属し、本発明によるシステムにかかわるさまざまな人、言い換えれば、オペレータ、ディスク発行者、アーティストのすべてのアドレスを含む。各テーブルは、種々のアドレス識別子（ＡＤＲ＿ＩＤ）に対応する。１つのアドレス（ＡＤＲ＿ＡＤＤＲＥＳＳ＿１）は、複数の演奏者に対して同一のものであってよく、異なるテーブルに見い出されるものであってよい。
【００７３】
ＡＬＢＵＭ特定テーブルグループは、第５のアレイセット（１１０５、図２および図３）に属し、曲バンクに含まれるアルバムに関するすべての情報、言い換えれば、アルバム名（ＡＬＢ＿ＮＡＭＥ）、メインアーティスト（ＡＲＴ＿ＩＤ）およびディスク発行者（ＬＡＢ＿ＩＤ）を含む。各アルバムは、固有の番号（ＡＬＢ＿ＩＤ）により識別される。このテーブルグループにある１つの特定テーブルは、アルバムの識別を含む。
【００７４】
ＡＲＴＩＳＴ特定テーブルグループは、第５のアレイセット（１１０５、図２および図３Ｂ）に属し、例えば、曲の演奏およびコピーの同意の許可など、曲のアーティストおよび／または発行者および／またはライターに関する情報を含む。このテーブルグループにおける１つの特定テーブルは、アーティスト、発行者またはライターの識別を含む。
【００７５】
図３Ｅに示されているＢＵＧ＿ＣＯＭＰＯＮＥＮＴ、ＢＵＧ＿ＥＲＲＯＲ＿ＭＳＧ、ＢＵＧ＿ＪＵＫＥＢＯＸ、ＢＵＧ＿ＫＥＹ＿ＷＯＲＤ、ＢＵＧ＿ＰＲＯＧＲＡＭ、ＢＵＧ＿ＲＥＦＥＲＥＮＣＥ、ＢＵＧ＿ＲＥＰＯＲＴ、ＢＵＧ＿ＳＯＬＵＴＩＯＮ、ＢＵＧ＿ＳＵＧＧＥＳＴＩＯＮアレイは、ジュークボックスの遠隔管理またはジュークボックスプログラムまたはコンポーネントの動作において起こる誤動作の解決策をアーカイブし、見い出し、または提案するために使用される。
【００７６】
ＣＡＴＡＬＯＧＵＥ特定テーブルグループは、第５のアレイセット（１１０５、図２、図３Ａおよび図３Ｂ）に属し、データベースに含まれる曲に関する情報を含む。このテーブルグループにあるテーブルが曲を識別する。特に、各テーブルは、曲名（ＣＬＴ＿ＳＯＮＧ＿ＮＡＭＥ）と曲の長さ（ＣＬＹ＿ＬＥＮＧＴＨ）を含む。
【００７７】
ＣＡＴＥＧＯＲＹ特定テーブルグループは、第５のアレイセット（１１０５、図３Ａおよび図３Ｂ）に属し、曲のカテゴリーリスト、言い換えれば、カテゴリー名（ＣＴＧ＿ＴＹＰＥ）、その記述（ＣＴＧ＿ＤＥＳＣ）および識別番号（ＣＴＧ＿ＩＤ）を含む。カテゴリーは、所与のタイプのすべての曲を含み、例えば、ジャズソングのカテゴリーもあれば、クリスマスキャロルのカテゴリーもある。
【００７８】
ＣＯＬＬＡＢＯＲＡＴＯＲ特定テーブルグループは、第８のアレイセット（１１０８、図３Ａおよび図３Ｂ）に属し、曲のライターの名前を含む。ライターを示すために、所定値、例えばＷの引き数（ＣＯＬ＿ＴＹＰＥ）が割り当てられる。このような区別は、ロイヤルティを計算するために使用される。
【００７９】
図３Ｅに示すＣＯＭＭＡＮＤ特定テーブルグループは、サーバとジュークボックスの間の通信が確立されたとき、それらの間で交換されるすべてのコマンドを含む。このテーブルグループのテーブルは、コマンドに対応する。
【００８０】
図３Ｂに示すＣＯＭＰＯＮＥＮＴ特定テーブルグループは、ジュークボックスにインストールされてよいすべてのハードウェアコンポーネントのリストを含む。特に、各テーブルは、各コンポーネントのシリアルナンバー（ＣＯＭ＿ＳＥＲＩＡＬ＿ＮＯ）とそのインストール日（ＣＯＭ＿ＳＴＡＲＴ＿ＤＴ）を含む。
【００８１】
ＣＯＭＰＯＮＥＮＴ＿ＤＥＦ特定テーブルグループは、第２のアレイセット（１１０２、図３Ｂおよび図３Ｄ）に属し、ＣＯＭＰＯＮＥＮＴ特定テーブルグループにリストされたすべてのコンポーネントの正確な記述を含む。特に、このテーブルグループの各テーブルは、コンポーネントのコスト（ＣＯＤ＿ＣＯＳＴ）と、サプライヤ識別（ＣＯＤ＿ＶＥＮＤＯＲ＿ＣＯＤＥ）を含む。
【００８２】
ＣＯＭＰＯＮＥＮＴ＿ＩＮＣＯＭＰＡＴ特定テーブルグループは、第２のアレイセット（１１０２、図３Ｂおよび図３Ｄ）に属し、ジュークボックスにインストールされ得るさまざまなハードウェアコンポーネント間のあらゆる非互換性に関する情報を含む。
【００８３】
ＣＯＭＰＯＮＥＮＴ＿ＵＰＧＲＡＤＥ特定テーブルグループは、第２のアレイセット（１１０２、図３Ｂおよび図３Ｄ）に属し、ＣＯＭＰＯＮＥＮＴ＿ＤＥＦ特定テーブルグループに対して行われるすべての修正のトレースを維持するために使用される。
【００８４】
図３Ａに示す第７のアレイセット１１０７に属するＣＯＮＴＡＣＴ特定テーブルグループは、各曲が演奏される度にロイヤルティを受け取る人を規定するために使用される。
【００８５】
ＣＬＴ＿ＣＡＴＥＧＯＲＹ特定テーブルグループは、第５のアレイセット（１１０５、図３Ａおよび図３Ｂ）に属し、曲をＣＡＴＥＧＯＲＹ特定テーブルグループに規定される少なくとも１つのカテゴリーに関連付けるために使用される。
【００８６】
ＥＶＥＮＴ特定テーブルグループは、第１０のアレイセット（１１１０、図３Ｆ）に属し、ＥＶＥＮＴ＿ＤＥＦ特定テーブルグループに規定される所与の時間に命令が実行されるように、命令をグループ（以下に規定）内に入れるために使用される。
【００８７】
ＥＸＥＣＵＴＥＤ＿ＩＮＳＴＲＵＣＴＩＯＮ特定テーブルグループは、第１０のアレイセット（１１１０、図３Ｆ）に属し、関係するジュークボックスで命令が実行されたときに命令をアーカイブするために使用される。
【００８８】
図３Ｅに示すＦＩＬＥ＿ＲＥＣＥＰＴＩＯＮ特定テーブルグループは、サーバとジュークボックス間が通信している間、ジュークボックスから受信されたすべてのテキストファイルを含む。
【００８９】
ＦＩＲＭＷＡＲＥ特定テーブルグループは、第２のアレイセット（１１０２、図３Ｂおよび図３Ｄ）に属し、ＣＯＭＰＯＮＥＮＴテーブルグループにおいて記述されるハードウェアコンポーネントと、そのコンポーネントで動作するようにされたＰＲＯＧＲＡＭテーブルグループにおいて記述されるソフトウェアとを関連付けるために使用される。
【００９０】
ＦＬＴ＿ＡＲＴＩＳＴ特定テーブルグループは、第６のアレイセット（１１０６、図３Ｂ）に属し、ジュークボックスにインストールされたアーティストに適用可能なフィルタの定義を含む。これらのフィルタは、ジュークボックスで曲がダウンロードされる度に読み出されるため、フィルタに属するアーティストの曲は、フィルタにより関係するジュークボックスにダウンロードされない。このテーブルグループにある各テーブルは、所与のフィルタ（ＪＵＦ＿ＩＤ）および所与のアーティスト（ＡＲＴ＿ＩＤ）に対応する。
【００９１】
図３Ｂに示されるＦＬＴ＿ＣＡＴＡＬＯＧＵＥ特定テーブルグループは、前のグループに類似するが、フィルタは曲に適用される。
【００９２】
図３Ｂに示されるＦＬＴ＿ＣＡＴＥＧＯＲＹ特定テーブルグループは、前のグループに類似するが、フィルタは曲のカテゴリーに適用される。
【００９３】
図３Ｂに示されるＦＬＴ＿ＬＡＢＥＬ特定テーブルグループは、前のグループに類似するが、フィルタはディスク発行者（レーベル）に適用される。
【００９４】
図３Ｆに示されるＩＢＵＴＴＯＮ＿ＩＮＤＥＸ特定テーブルグループは、Ｉｂｕｔｔｏｎ（上記に規定）の要素の識別と、データベースにある同じ要素の識別との間のリンクを確立する。
【００９５】
ＩＢ＿ＣＲＥＤＩＴ特定テーブルグループは、第３のアレイセット（１１０３、図３Ａおよび図３Ｃ）に属し、ジュークボックスで使用されることがあるフリークレジットに関する情報を含み、この情報はジュークボックスのＩｂｕｔｔｏｎに含まれる。ジュークボックスで曲が演奏される前に、支払うべき金額をクレジットが示す。この情報は、クレジットの最大利用可能数、特にいくつのクレジットが利用可能であるかを決定するために使用される。このテーブルグループにある各テーブルは、特定のクレジットタイプに適用可能である。
【００９６】
ＩＢ＿ＩＳＰ特定テーブルグループは、第３のアレイセット（１１０３、図３Ａおよび図３Ｃ）に属し、インターネットへ接続するのに必要な情報を含み、この情報はジュークボックスのＩｂｕｔｔｏｎに含まれる。このテーブルグループの各テーブルは、特に、接続パラメータ（ＩＳＰ＿ＳＥＲＶＥＵＲ＿ＩＰ＿ＡＤＤＲＥＳＳ、・・）、ユーザ名（ＩＳＰ＿ＬＯＧＩＮ＿ＮＡＭＥ）、パスワード（ＩＳＰ＿ＰＡＳＳＷＯＲＤ）およびインターネットサービスプロバイダ（ＩＳＰ）の電話番号（ＩＳＰ＿ＰＨＯＮＥ＿ＮＯ）を含む。各テーブルは、所与のサービスプロバイダとの所与の接続に対応する。
【００９７】
ＩＢ＿ＭＩＸＡＧＥ特定テーブルグループは、第３のアレイセット（１１０３、図３Ａおよび図３Ｃ）に属し、ジュークボックスのサウンド設定に関するすべての情報を含み、この情報はジュークボックスのＩｂｕｔｔｏｎに含まれる。このテーブルグループのテーブルは、所与のサウンド設定に対応する。
【００９８】
ＩＢ＿ＯＴＨＥＲ＿ＳＥＴＴＩＮＧ特定テーブルグループは、第３のアレイセット（１１０３、図３Ａおよび図３Ｂ）に属し、Ｉｂｕｔｔｏｎに含まれるジュークボックスの設定に関するすべての情報を含む。このテーブルグループの各テーブルは、特に、ジュークボックス言語（ＳＥＴ＿ＬＡＮＧＵＡＧＥ）、電話線の利用可能性（ＳＥＴ＿ＬＩＮＥ＿ＡＶＡＩＬ＿ＳＴＡＲＴ＿ＴＩＭＥ、ＳＥＴ＿ＬＩＮＥ＿ＡＶＡＩＬ＿ＥＮＤ＿ＴＩＭＥ）と、Ｉｂｕｔｔｏｎのバージョン（ＳＥＴ＿ＩＢ＿ＶＥＲＳＩＯＮ）とを備える。各テーブルは、所定パラメータのセットに対応する。
【００９９】
ＩＢ＿ＰＡＳＳＷＯＲＤ特定テーブルグループは、第３のアレイセット（１１０３、図３Ａおよび図３Ｂ）に属し、ジュークボックスが動作可能なようにジュークボックスに割り当てられるパスワードを含む。
【０１００】
ＩＢ＿ＲＥＭＯＴＥ＿ＣＯＮＴＲＯＬ特定テーブルグループは、第３のアレイセット（１１０３、図３Ａおよび図３Ｂ）に属し、ジュークボックスを動作させるように使用可能な遠隔制御用の設定パラメータを含む。これらのパラメータは、ジュークボックスのＩｂｕｔｔｏｎに記憶されるパラメータに対応する。
【０１０１】
ＩＢ＿ＴＵＮＥ＿ＣＯＳＴ特定テーブルグループは、第３のアレイセット（１１０３、図３Ａおよび図３Ｂ）に属し、１曲または複数の曲を選択可能なように、ジュークボックスに支払われる価格の設定を含む。
【０１０２】
すべてのＩＢ＿ＸＸＸテーブルグループは、本発明によるシステムにより管理されるジュークボックスのすべての可能な設定を含む。特定の設定の割り当て、言い換えれば、テーブルグループＩＢ＿ＸＸＸにある特定のテーブルを所与のジュークボックス（ＪＵＫ＿ＩＤ）に割り当てることは、別の特定テーブルグループＪＵＫ＿ＸＸＸ（以下に記載）により行われる。
【０１０３】
ＩＮＳＴＲＵＣＴＩＯＮ特定テーブルグループは、第１０のアレイセット（１１１０、図３Ｆ）に属し、ジュークボックスに送信すべきすべての命令を含む。各命令は、番号（ＩＮＳ＿ＩＤ）により規定され、宛先ジュークボックスは、その番号（ＪＵＫ＿ＩＤ）により識別される。このテーブルグループにある各テーブルは、ジュークボックスに送信される命令に対応する。また、各テーブルは、コード（ＩＮＳ＿ＣＯＤＥ）を介して命令タイプを決定するために使用されてもよい。また、各テーブルは、サーバ１０がジュークボックスへの命令の送信が可能になる開始日（ＩＮＳ＿ＴＡＲＧＥＴ＿ＤＴ）を備える。したがって、前もってジュークボックスに送信される命令を準備し格納することができる。
【０１０４】
ＩＮＳＴＲＵＣＴＩＯＮ＿ＤＥＦ特定テーブルグループは、第１０のアレイセット（１１１０、図３Ｆ）に属し、すべての命令タイプの記述を備える。このテーブルグループとＩＮＳＴＲＵＣＴＩＯＮ特定テーブルグループとの間は、命令コードＩＮＳ＿ＣＯＤＥを用いてリンクされる。
【０１０５】
ＩＮＳ＿ＡＬＢＵＭ特定テーブルグループは、第１０のアレイセット（１１１０、図３Ｆ）に属し、アルバムの追加、修正または削除に関する命令を含む。各テーブルは、テーブルに対応する命令が完全に実行されたことを保証する引き数（ＩＡＬ＿ＥＸＥＣＵＴＩＯＮ＿ＤＴ）を備える。
【０１０６】
図３Ｆに示されているＩＮＳ＿ＣＡＴＡＬＯＧＵＥ特定テーブルグループは、前の特定テーブルグループに類似しているが、命令は曲に関する。
【０１０７】
図３ＦにあるＩＮＳ＿ＩＢＵＴＴＯＮ特定テーブルグループは、上述した特定のテーブルグループに類似しているが、命令は、Ｉｂｕｔｔｏｎに格納されたパラメータの修正に関係する。
【０１０８】
図３Ｆに示されたＩＮＳ＿ＳＯＦＴＷＡＲＥ特定テーブルグループは、命令がソフトウェアに関係すること以外、前の特定テーブルグループに類似している。
【０１０９】
ＩＮＳ＿ＪＥＥＰ＿ＳＣＲＩＰＴ特定テーブルグループは、第１０のアレイセット（１１１０、図３Ｆ）に属し、ジュークボックスでの指示の実行に関する命令を含む。指示により、ジュークボックスでのファイルの作成、移動、名の変更、または削除が行われてよい。また、このアレイは、実行される動作に対応するコマンドラインを備える。
【０１１０】
ＪＵＫＥＢＯＸ特定テーブルグループは、第１のアレイセット（１１０１、図２、図３Ａおよび図３Ｅ）に属し、ジュークボックスのインストールに関する情報を含む。このテーブルグループにある各テーブルは、特に、ジュークボックスの識別番号（ＪＵＫ＿ＩＤ）、その開始日（ＪＵＫ＿ＩＮＳＴＡＬＬＡＴＩＯＮ＿ＤＴ）、その状態（ＪＵＫ＿ＳＴＡＴＵＴ）などを備える。各テーブルは、ネットワーク上のジュークボックスの記述に対応する。
【０１１１】
ＪＵＫＥＢＯＸ＿ＬＯＣＡＴＩＯＮ特定テーブルグループは、第７のアレイセット（１１０７、図３Ａ）に属し、ジュークボックスの場所とジュークボックスを貸し出す会社に関するすべての情報を含む。
【０１１２】
ＪＵＫ＿ＣＯＮＮＥＣＴＩＯＮ特定テーブルグループは、ジュークボックスとサーバとの間の通信のすべての開始日および終了日をアーカイブするために使用されてよい。
【０１１３】
ＪＵＫ＿ＣＲＥＤＩＴ特定テーブルグループは、第２のアレイセット（１１０２、図３Ａおよび図３Ｂ）に属し、特定のジュークボックス（ＪＵＫ＿ＩＤ）にクレジットが割り当てられるように、特定のテーブルグループＩＢ＿ＣＲＥＤＩＴとリンクするために使用されてよい。また、このテーブルグループは、ジュークボックスで有効であったが、許可されていないクレジットの異なる構成をアーカイブするために使用されてよい。所与のジュークボックス（ＪＵＫ＿ＩＤ）の現在の有効設定は、最新の日にち（ＪＣＲ＿ＳＴＡＲＴ＿ＤＴ）をもつ特定テーブルに含まれる。他のテーブルは、アーカイブとして保持される。
【０１１４】
ＪＵＫ＿ＦＩＬＴＥＲ特定テーブルグループは、第６のアレイセット（１１０６、図３Ｂ）に属し、ジュークボックスでインストールされるすべてのフィルタの記述を含む。このテーブルグループの各テーブルは、固有番号（ＪＵＫ＿ＩＤ）により識別されたフィルタに対応する。
【０１１５】
ＪＵＫ＿ＩＳＰ特定テーブルグループは、第２のアレイセット（１１０２、図３Ａおよび図３Ｃ）に属し、特定のジュークボックス（ＪＵＫＥ＿ＩＤ）の接続を構成するために、ＩＢ＿ＩＳＰ特定テーブルグループとリンクする。また、このテーブルグループは、ジュークボックスで有効であったが、許可されていない種々の接続設定をアーカイブするために使用される。所与のジュークボックス（ＪＵＫＥ＿ＩＤ）の現在の有効設定は、最新の日にち（ＪＩＳ＿ＳＴＡＲＴ＿ＤＴ）をもつ特定テーブルに含まれる。他のテーブルは、アーカイブとして保持される。
【０１１６】
ＪＵＫ＿ＭＩＸＡＧＥ特定テーブルグループは、第２のアレイセット（１１０２、図３Ａおよび図３Ｃ）に属し、ＩＢ＿ＭＩＸＡＧＥ特定テーブルグループと特定のジュークボックス（ＪＵＫ＿ＩＤ）でのサウンド設定との間をリンクするために使用される。また、このテーブルグループは、ジュークボックスで有効であったが、許可されていない種々のサウンド設定をアーカイブする。所与のジュークボックス（ＪＵＫ＿ＩＤ）で現在の有効設定は、最新の日にち（ＪＭＩ＿ＳＴＡＲＴ＿ＤＴ）をもつ特定テーブルに含まれる。他のテーブルは、アーカイブとして保持される。
【０１１７】
ＪＵＫ＿ＯＴＨＥＲ＿ＳＥＴＴＩＮＧ特定テーブルグループは、第２のアレイセット（１１０２、図３Ａおよび図３Ｃ）に属し、ＩＢ＿ＯＴＨＥＲ＿ＳＥＴＴＩＮＧ特定テーブルグループとジュークボックスの設定との間をリンクする。また、このテーブルグループは、ジュークボックスで有効であったが、許可されていない種々の設定をアーカイブするために使用される。所与の（ＪＵＫ＿ＩＤ）で現在の有効設定は、最新の日にち（ＪＯＴ＿ＳＴＡＲＴ＿ＤＴ）をもつ特定テーブルに含まれる。他のテーブルは、アーカイブとして保持される。
【０１１８】
ＪＵＫ＿ＰＡＳＳＷＯＲＤ特定テーブルグループは、第２のアレイセット（１１０２、図３Ａおよび図３Ｃ）に属し、ＩＢ＿ＰＡＳＳＷＯＲＤ特定テーブルグループとジュークボックスとの間をリンクするために使用される。このテーブルグループにある各テーブルは、その番号（ＪＵＫ＿ＩＤ）を用いて所与のジュークボックスにパスワードのセットを割り当てるために使用される。また、このテーブルグループは、ジュークボックスで有効であったが、許可されていない種々のパスワードのセットをアーカイブするために使用される。所与のジュークボックス（ＪＵＫ＿ＩＤ）で現在の有効設定は、最新の日にち（ＪＰＷ＿ＳＴＡＲＴ＿ＤＴ）をもつ特定テーブルに含まれる。他のテーブルは、アーカイブとして保持される。
【０１１９】
ＪＵＫ＿ＰＲＩＣＩＮＧ特定テーブルは、第１１のアレイセット（１１１１、図２および図３Ｂ）に属し、ＰＲＩＣＩＮＧアレイ（上述）と番号（ＪＵＫ＿ＩＤ）により規定されるジュークボックスとの間をリンクするために使用される。このテーブルグループの各テーブルは、ＰＲＩＣＩＮＧ特定テーブルグループに規定されたプロモーション期間を、識別子（ＪＵＫ＿ＩＤ）により規定されるジュークボックスに割り当てるために使用される。
【０１２０】
ＪＵＫ＿ＰＲＯＭＯＴＩＯＮ特定テーブルは、第１１のアレイセット（１１１１、図２および図３Ｂ）に属し、ＰＲＯＭＯＴＩＯＮ特定テーブルグループ（下述）とジュークボックスとの間をリンクするために使用される。このテーブルグループの各テーブルは、特定プロモーション（ＰＲＯＤ−ＩＤ）を、識別子（ＪＵＫ＿ＩＤ）により規定されるジュークボックスに割り当てるために使用される。
【０１２１】
ＪＵＫ＿ＲＥＭＯＴＥ＿ＣＯＮＴＲＯＬ特定テーブルグループは、第２のアレイセット（１１０２、図３Ｂ）に属し、ＩＢ＿ＲＥＭＯＴＥ＿ＣＯＮＴＲＯＬ特定テーブルグループとジュークボックスとの間をリンクするために使用される。このテーブルグループの各テーブルは、特定の設定（ＲＥＭ＿ＩＤ）を番号（ＪＵＫ＿ＩＤ）により規定されるジュークボックスの遠隔制御に割り当てるために使用される。また、このテーブルグループは、ジュークボックスで有効であったが、許可（ａｕｔｈｏｒｉｚｅｄ）されてはいない遠隔制御の種々の設定をアーカイブするように使用される。
【０１２２】
ＪＵＫ＿ＴＵＮＥ＿ＣＯＳＴ特定テーブルグループは、第２のアレイセット（１１０２、図３Ａおよび図３Ｂ）に属し、ＩＢ＿ＴＵＮＥ＿ＣＯＳＴ特定テーブルグループとジュークボックスとの間をリンクするために使用される。このアレイは、特定の曲の価格（ＣＯＳＴ＿ＩＤ）の選択を番号（ＪＵＫ＿ＩＤ）で規定されるジュークボックスに割り当てるために使用される。また、このアレイは、ジュークボックスで有効であったが、許可されてはいない種々の価格の選択をアーカイブするために使用される。所与のジュークボックス（ＪＵＫ＿ＩＤ）の現在の有効設定は、最新の特定テーブル（ＪＲＭ＿ＳＴＡＲＴ＿ＤＴ）に含まれる。他のテーブルは、アーカイブとして保持される。
【０１２３】
ＬＡＢＥＬ特定テーブルグループは、第５のアレイセット（１１０５、図３Ａおよび図３Ｂ）に属し、データベースに含まれるディスク発行者の全配給名を記述する。このテーブルグループの各テーブルは、特に、ディスク発行者のアドレスの識別子（ＡＤＲ＿ＩＤ）、ＡＤＤＲＥＳＳ特定テーブルグループに格納されている全アドレス、識別番号（ＬＡＢ＿ＩＤ）およびディスク発行者名を含む。各テーブルは、ディスク発行者に対応する。
【０１２４】
ＬＡＢＥＬ＿ＲＯＹＡＬＴＹ特定テーブルグループは、第９のアレイセット（１１０９、図３Ｆ）に属し、ディスク発行者に支払うべき料金を計算するのに必要な情報を含む。テーブルグループの各テーブルは、ジュークボックスで生じる曲の全配給を記憶するＰＬＡＹ＿ＬＯＧアレイ（以下に記載）に特にリンクされる。このリンクは、ジュークボックス識別番号によりなされる。
【０１２５】
ＬＯＧＩＮ＿ＳＣＲＩＰＴ特定テーブルグループは、第２のアレイセット（１１０２、図３Ｂおよび図３Ｄ）に属し、インターネットサービスプロバイダに関連する始動スクリプトを含む。
【０１２６】
ＬＯＧ＿ＲＥＣＥＰＴＩＯＮ特定テーブルグループは、第８のアレイセット（１１０８、図３Ａおよび図３Ｅ）に属し、サーバにより受信されるジュークボックスにある全ログファイルをアーカイブするために使用される。このテーブルグループの各テーブルは、特に、ログファイルを送信するジュークボックスの番号（ＪＵＫ＿ＩＤ）、受信日（ＬＯＧ＿ＲＥＣＥＩＶＥ＿ＤＴ）および送信ファイル（ＬＯＧ＿ＦＩＬＥ）を含む。
【０１２７】
ＭＡＳＴＥＲ特定テーブルグループは、第５のアレイセット（１１０５、図３Ａおよび図３Ｂ）に属し、ジュークボックスで利用可能な曲のリスト開始点をなすものであってよい同じスタイルの約７５０曲のリストを規定する。テーブルグループの各テーブルは、特に、各リストの識別番号（ＭＡＳ＿ＩＤ）、リストの記述（ＭＡＳ＿ＤＥＳＣ）およびリストのタイプ（ＭＡＳ＿ＴＹＰＥ）を含む。ＭＡＳＴＥＲ特定テーブルグループにおいて識別されるリストをなす曲名は、ＭＡＳＴＥＲ＿ＣＡＴＡＬＯＧＵＥ特定テーブルグループに含まれる。
【０１２８】
図３Ｅに示されているＭＯＤＥＭ＿ＳＴＲＩＮＧ特定テーブルグループは、ジュークボックスモデムの初期化に必要なテキストストリングを含む。このアレイは、ジュークボックスの設定、特に、モデムの設定を含むＩＢ＿ＯＴＨＥＲ＿ＳＴＲＩＮＧテーブルグループに関連する。
【０１２９】
ＯＰＥＲＡＴＯＲ特定テーブルグループは、第７のアレイセット（１１０７、図３Ａおよび図３Ｆ）に属し、本発明による装置によりジュークボックスを管理させた全オペレータに関するすべての情報を含む。オペレータとは、１つまたは複数のジュークボックスをレンタルするユーザである。詳細には、各テーブルグループは、各オペレータの固有識別子（ＯＰＥ＿ＩＤ）と、各オペレータの名前（ＯＰＥ＿ＮＡＭＥ）とを含む。また、各テーブルは、各オペレータがレンタルするジュークボックスにインストールしたいデフォルト設定を含む。デフォルト設定は、上述した設定テーブルグループ（ＩＢ＿ＴＵＮＥ＿ＣＯＳＴ、ＩＢ＿ＲＥＭＯＴＥ＿ＣＯＮＴＲＯＬ、ＩＢ＿ＣＲＥＤＩＴ、ＩＢ＿ＩＳＰ、ＩＢ＿ＯＴＨＥＲ＿ＳＥＴＩＮＧ、ＩＮ＿ＭＩＸＡＧＥ）の種々のテーブルに各テーブルを関係させる（ＣＯＳ＿ＩＤ、ＲＥＭ＿ＩＤ、ＣＲＥ＿ＩＤ、ＩＳＰ＿ＩＤ、ＳＥＴ＿ＩＤ、ＭＩＸ＿ＩＤ）識別子により識別される。
【０１３０】
図３Ａに示されるＯＲＤＥＲＩＮＧ特定テーブルグループは、ジュークボックスを介して、またはサーバとの直接通信を介してオペレータにより注文された全曲を含む。このテーブルグループの各テーブルは、注文された曲（ＣＴＬ＿ＩＤ）に対応する。ジュークボックスに曲が送信されるとすぐに、送信された曲に対応するテーブルは、サーバ１０により消去される。
【０１３１】
ＰＡＣＫＡＧＥ特定テーブルグループは、第２のアレイセット（１１０２、図３Ｂおよび図３Ｄ）に属し、ジュークボックスでインストールされたプログラムグループに関する情報を含む。これらのグループの構成は、ＰＡＣＫＡＧＥ＿ＤＥＦ特定テーブルグループに含まれる。
【０１３２】
図３Ａに示されるＰＨＯＮＥ特定テーブルグループは、ジュークボックスの管理に有益な全電話番号を含む。このテーブルグループの各テーブルは、電話番号（ＰＨＯ＿ＮＵＭＢＥＲ）、電話番号の所有者の識別（ＰＨＯ＿ＯＢＪＥＣＴ＿ＳＯＵＲＣＥ）、所有者に関する情報を含むアレイの識別子（ＰＨＯ＿ＯＢＪＥＣＴ＿ＩＤ）、番号に対応するラインのタイプ（ＰＨＯ＿ＴＹＰＥ）、すなわちその番号が据付の電話番号、ファックス番号、または携帯電話番号であるかというタイプを含む。
【０１３３】
ＰＬＡＹ＿ＬＯＧ特定テーブルグループは、第８のアレイセット（１１０８、図３Ａおよび図３Ｅ）に属し、ジュークボックスへの曲の全配給をアーカイブするために使用される。このテーブルグループの各テーブルは、ジュークボックスがログファイルをサーバに送信する度に更新される。各テーブルは、１曲の配給に対応する。
【０１３４】
ＰＲＯＧＲＡＭ特定テーブルグループは、第２のアレイセット（１１０２、図３Ｂおよび図３Ｅ）に属し、使用される全プログラムの全バージョンを含む。このテーブルグループの各テーブルは、特に、プログラム名（ＰＧＤ＿ＮＡＭ）と、プログラムのバージョン（ＰＧＭ＿ＶＥＲＳＩＯＮ）を含むが、プログラム自体（ＰＧＭ＿ＣＯＤＥ＿ＳＯＵＲＣＥ）も含む。各テーブルは、プログラムの１つのバージョンに対応する。ジュークボックスで実行するようにされたプログラムは、ＰＲＯＧＲＡＭ＿ＤＥＦ特定テーブルグループに記述される。
【０１３５】
ＰＲＯＭＯＴＩＯＮ特定テーブルグループは、第１１のアレイセット（１１１１、図３Ｂ）に属し、ジュークボックスに適用されるプロモーションを記述するために使用される。例えば、プロモーションは、１曲または複数の所与の曲の値段を割引したものや、無料で演奏するものであってよい。プロモーションにより作用された曲は、ＰＲＯ＿ＰＡＣＫＡＧＥ＿ＣＡＴＡＬＯＧＵＥ特定テーブルグループにリストされる。プロモーションは、所与のアーティストによる全曲を含むように広げられてよい。この場合、プロモーションに関係するアーティストの識別子（ＡＲＴ＿ＩＤ）は、ＰＲＯ＿ＰＡＣＫＡＧＥ＿ＡＲＴＩＳＴ特定テーブルグループに含まれる。同様に、プロモーションは、同時にアーティストにより所与の曲または全曲に関するプロモーションを含むものであってよく、この場合、ＰＲＯ＿ＰＡＣＫＡＧＥアレイは、ＰＲＯ＿ＰＡＣＫＡＧＥ＿ＡＲＴＩＳＴとＰＲＯ＿ＰＡＣＫＡＧＥ＿ＣＡＴＡＬＯＧＵＥテーブルをＰＲＯＭＯＴＩＯＮテーブルに関係させるために使用される引き数を含むであろう。また、同様に、ＰＲＯ＿ＰＲＩＣＩＮＧテーブルグループは、プロモーションが有効である期間の正確な定義を含むＰＲＩＣＩＮＧ特定テーブルグループにＰＲＯＭＯＴＩＯＮ特定テーブルグループを関係させるために使用される引き数を含む。
【０１３６】
ＰＵＢＬＩＳＨＥＲ特定テーブルグループ（図示せず）は、第９のアレイセット（１１０９、図３Ｆ）に属し、発行者に関するすべての情報を含む。
【０１３７】
ＰＵＢＬＩＳＨＥＲ＿ＲＯＹＡＬＴＹ特定テーブルグループは、第９のアレイセット（１１０９、図３Ｆ）に属し、配給された曲またはジュークボックスでコピーされた曲の発行者への料金支払に関するすべての情報を含む。
【０１３８】
ＲＥＰＬＡＣＥＭＥＮＴ＿ＰＲＯＧＲＡＭ特定テーブルグループは、第９のアレイセット（１１０２、図３Ｂおよび図３Ｄ）に属し、１つのプログラム（ＰＧＤ＿ＮＡＭＥ）が所与の日（ＲＥＰ＿ＳＴＡＲＴ＿ＤＴ）から開始する別のプログラム（ＲＥＰ＿ＰＧＤ＿ＮＡＭＥ）により置き換えられることを示すために使用される。
【０１３９】
ＳＯＦＴＷＡＲＥ特定テーブルグループは、第２のアレイセット（１１０２、図３Ｂおよび図３Ｄ）に属し、プログラムとプログラムがインストールされるジュークボックスとの間をリンクするために使用される。このテーブルグループの各テーブルは、番号（ＪＵＫ＿ＩＤ）により規定されるジュークボックスにプログラム（ＰＧＤ＿ＮＡＭＥ）を割り当てるために使用される。また、各テーブルは、ジュークボックスで有効であったが、許可されていない種々のプログラムインストレーションをアーカイブするために使用される。所与のジュークボックス（ＪＵＫ＿ＩＤ）の現在の有効設定は、最新の日にち（ＳＯＦ＿ＳＴＡＲＴ＿ＤＴ）をもつ特定テーブルに含まれる。他のテーブルは、アーカイブとして保持される。
【０１４０】
ＳＯＮＧ特定テーブルグループは、第４のアレイセット（１１０４、図２および図３Ａ）に属し、ダウンロードされた曲と、曲がダウンロードされたジュークボックスとの間をリンクするために使用される。このテーブルグループの各テーブルは、番号（ＪＵＫ＿ＩＤ）により規定されたジュークボックスに曲（ＣＬＴ＿ＩＤ）を割り当てるために使用される。このテーブルグループは、曲のダウンロード履歴を獲得し、各ダウンロードで支払うべき料金を決定するために使用される。また、このテーブルグループは、ジュークボックスでインストールされた種々の曲をアーカイブするために使用可能である。
【０１４１】
ＳＹＳＴＥＭ＿ＬＯＧ特定テーブルグループは、第８のアレイセット（１１０８、図３Ａおよび図３Ｅ）に属し、ＰＬＡＹ＿ＬＯＧ特定テーブルグループに含まれる曲の配給に関する情報とは別に、ログファイルにジュークボックスにより送信されるすべての情報を含む。
【０１４２】
ＷＡＲＥＨＯＵＳＥ特定テーブルグループは、第７のアレイセット（１１０７、図３Ａ）に属し、１つまたは複数のジュークボックスをオペレータの会社に割り当てるために使用される。１人のオペレータが、複数の会社をもつこともある。したがって、このオペレータによりレンタルされたジュークボックスの管理により、各ジュークボックスを会社に割り当てることが容易になる。
【０１４３】
図５Ａ〜５Ｈは、データベースアレイにある情報が表示される種々のウィンドウを示す。サーバは、本発明によるシステムのデータベースにあるアレイセットに含まれる情報をさらに容易に操作するために、ユーザインタフェースをなすプレゼンテーションモジュールを含む。このモジュールは、読み出しやすい形式でデータベースにある情報を表示するが、データベースのアーキテクチャに慣れていないユーザが、何らかの情報、サーバ上にある情報であってもアクセスできるように、この情報を選択的に収集するように使用される。さらに、このモジュールは、データベースにある情報を修正、追加または削除するために使用可能である。
【０１４４】
本質的に、このモジュールは、モニタ上に、情報表示領域、情報入力領域または選択領域やボタンのいずれかをそれぞれが含む複数のスクリーンまたはウィンドウを表示する。選択領域は、通常、特に、データベースにある情報の収集および記憶や、入力領域にある入力情報の有効化を開始する手順に関係する。
【０１４５】
図５Ａに示される第１のスクリーン２００は、ジュークボックスに関するすべての情報を表示または操作するためのものである。このスクリーン２００は、表示領域または入力領域であってよい複数の領域２０１．１〜２０１．２２を含む。これらの領域２０１．１〜２０１．２２はそれぞれ、図３Ａに示すＪＵＫＥ＿ＢＯＸアレイの引き数に対応する。ユーザが既存のジュークボックスに関する情報を参照したい場合、第１の入力領域２０１．１に必要なジュークボックスの識別番号を単に入力し、第１の選択領域２０２を選択することにより、この入力を有効にする。この選択により、データベースにある図３Ａに示すＪＵＫＥＢＯＸ特定テーブルグループの引き数のすべての値の検索が始まり、入力番号に対応する識別番号をもつものを見つけ出す。この情報が収集されると、それが対応する表示領域２０１．２〜２０１．２２に表示される。ユーザが新しいジュークボックスを作成したい場合、識別番号に対応する第１の領域２０１．１で使用されていない番号を単に入力し、第２の保存領域２０３を選択することにより選択を有効にする。この保存により、図３Ａに示すＪＵＫＥＢＯＸ特定テーブルグループに新しいテーブルが作成され、対応する表示領域２０１．２に表示される新しいジュークボックスの動作に必要なパスワードが生成される。ジュークボックスの番号とパスワードに対応する表示領域２０１．１、２０１．２とは別に、他の入力領域２０１．３〜２０１．２２はブランクである。また、第１のアレイ２００は、複数の選択ボタンシリーズ２０４〜２０７を含み、それぞれにより新しいスクリーンが表示される。これらの新しいスクリーンは、第１のスクリーン２００上の対応する領域２０１．１での番号入力により識別されたジュークボックスの作成、更新または動作に関する情報を表示するであろう。
【０１４６】
第１のボタンシリーズ２０４は、予め規定されたデフォルトパラメータでジュークボックスをセットアップするために使用される。第１のボタン２０４．１を選択すると、番号入力に対応するか、または第１の領域２０１．１に表示されたジュークボックスのＩ−ｂｕｔｔｏｎが初期化されるため、この動作により、ジュークボックスの各動作パラメータのデフォルト値が割り当てられる。第２のボタン２０４．２は、ジュークボックスへ所定の曲リストを割り当てるスクリーン（図示せず）を表示し、これらの曲は、ジュークボックスにインストールされて、ジュークボックスで利用可能な曲のリストを作成する。第３のボタン２０４．３は、ジュークボックスを動作させるために使用される所定のプログラムリストをジュークボックスへ割り当てるスクリーン（図示せず）を表示する。
【０１４７】
第２のボタンシリーズ２０５は、ジュークボックスのコンポーネントの記述を表示するために使用される。第１のボタン２０５．１により、オペレータに関する情報を表示するために使用される複数のフィールドを含むスクリーン（図示せず）が表示される。この情報は、ジュークボックスをレンタルするか、または所有するオペレータの識別子用の図３Ａに示すＯＰＥＲＡＴＯＲテーブルグループに収集される。第２のボタン２０５．２は、ジュークボックスにインストールされるプログラムに関する情報を表示するために使用される複数のフィールドを含むスクリーン（図示せず）を表示する。この情報は、図３Ｂに示すＳＯＦＴＷＡＲＥテーブルグループと、図３Ｄに示すＰＲＯＧＲＡＭ＿ＤＥＦテーブルグループに収集される。第３のボタン２０５．３により、ジュークボックスにインストールされたハードウェアコンポーネントに関する情報を表示するために使用される複数のフィールドを含むスクリーン（図示せず）が表示される。この情報は、図３Ｂに示すＣＯＭＰＯＮＥＮＴテーブルグループと、図３Ｂに示すＣＯＭＰＯＮＥＮＴ＿ＤＥＦテーブルグループに収集される。第４のボタン２０５．４により、ジュークボックスで注文中の曲のリストを表示するための複数のフィールドを含むスクリーン（図示せず）が表示される。この情報は、図３Ａに示すＯＲＤＥＲＩＮＧテーブルグループに収集される。第５のボタン２０５．５により、図５Ｂに示す第２のスクリーンが表示される。このスクリーンの表示の前に、図３Ａに示すＳＯＮＧアレイと、図３Ｂに示すＣＡＴＡＬＯＧＵＥアレイに情報が収集されて、第２のスクリーン２０１上のコンボリスト２１１に、識別子により識別されたジュークボックスで利用可能な曲のリストを表示する。曲は、その番号２１２と曲名２１３により識別される。全曲の番号は、ＳＯＮＧ特定テーブルグループに収集され、ジュークボックスでの各曲に対して、サーバには、購入日、配送日、転送時間、曲削除日および曲名を表示する手段が設けられており、これらの要素は、ＣＡＴＡＬＯＧＵＥ特定テーブルにおいて収集される。この第２のスクリーン２１０は、閲覧専用のものであって、入力領域を含まない。
【０１４８】
第３のボタンシリーズ２０６は、ジュークボックス動作パラメータを見るために使用されるスクリーンを表示する。各ボタン２０６．１〜２０６．７により、実際、図３Ａおよび図３Ｃに示されるＪＵＫ＿ＰＡＳＳＷＯＲＤ、ＪＵＫ＿ＴＵＮＥ＿ＣＯＳＴ、ＪＵＫ＿ＲＥＭＯＴＥ＿ＣＯＮＴＲＯＬ、ＪＵＫ＿ＭＩＸＡＧＥ、ＪＵＫ＿ＩＳＰ、ＪＵＫ＿ＣＲＥＤＩＴ、ＪＵＫ＿ＯＴＨＥＲ＿ＳＥＴＴＩＮＧテーブルグープの各テーブルにおいて識別されるパラメータが表示され、このテーブルでは、ジュークボックスを識別する引き数は、図５Ａに示す第１のスクリーン２００上の第１の表示領域２０１．１に表示される識別子に対応する。したがって、ボタン２０６．１〜２０６．７の１つを選択すると、最初に、ボタンに対応するＪＵＫ＿ＡＡＡテーブルグループにある情報が収集され、ジュークボックス識別子番号が必要とされる番号に対応するテーブルを見つけ出す。その後、テーブルＪＵＫ＿ＡＡＡに関連するテーブルグループにあるテーブルＩＢ＿ＡＡＡに情報が収集されて、ＪＵＫ＿ＡＡＡテーブルグループにあるテーブルにおいて見つけ出されたパラメータセットの識別子に対応するパラメータの値を決定する。非制限的な例として、第３のシリーズにある第１の選択ボタン２０６．１により、共に図３ＡにあるＪＵＫ＿ＭＩＸＡＧＥとＩＢ＿ＭＩＸＡＧＥアレイにある情報が収集されて、第１のスクリーン、第３のスクリーン２２０において選択されたジュークボックスのサウンド設定を表示する。この第３のスクリーンは、閲覧専用のものであり、入力領域をもたない。各領域２２１ａ、２２１ｂの左右チャンネルのさまざまな音量調節設定（最大２２１．４、音量２２１．１、低音２２１．２、高音２２１．３）は、表示領域２２１において表示される。表示領域は、マイクロフォン２２２．１、補助源２２２．２およびバックグラウンドミュージック２２２．３の音量設定を表示するために使用される。
【０１４９】
第４の選択ボタンシリーズ２０７は、ジュークボックス、特に、サーバとジュークボックスとの間の通信を管理するためのスクリーンを表示するために使用される。第１のボタン２０７．１により、図３Ｆに示すＩＮＳＴＲＵＣＴＩＯＮ、ＩＮＳＴＲＵＣＴＩＯＮ＿ＤＥＦおよびＩＮＳ＿ＸＸＸテーブルグループにおいてサーバにより情報が収集されて、第１のスクリーン２００で選択され、第１の表示領域２３４に表示されるジュークボックスに送信される命令リストを含む第４のスクリーン２３０を表示する。したがって、この第４のスクリーン２３０は、予め規定された命令が表示可能であるか、またはこれらの命令が修正可能であるか、または新しい命令が追加可能である領域２３１を含む。第４のスクリーン２３０は、所与の送信日までに入力領域２３１に入力または修正された命令を有効にするために使用される保存ボタン２３２を含む。また、この有効化により、ＩＮＳＴＲＵＣＴＩＯＮ、ＩＮＳＴＲＵＣＴＩＯＮ＿ＤＥＦおよびＩＮＳ＿ＸＸＸテーブルグループが更新される。
【０１５０】
第２のボタン２０７．２により、図３Ａに示すＰＬＡＹ＿ＬＯＧテーブルグループに情報が収集されて、例えば、第１のスクリーン２００の第１の領域２０１．１に表示された識別番号により識別されるジュークボックスで演奏された全曲の履歴を表示するスクリーンが表示される。図３Ａに示すＳＹＳＴＥＭ＿ＬＯＧテーブルグループに情報が収集された後、第３のボタン２０７．１が、例えば、第１のスクリーン２００の第１の領域２０１．１に表示された識別子番号により識別されたジュークボックスで実行された全アクションの履歴を表示するスクリーンを表示する。例えば、これらのアクションは、ジュークボックスのコインスロットにお金を連続して投入することからなる。第４のボタン２０７．４により、ＣＯＭＭＡＮＤテーブルグループに情報が収集されて、例えば、第１のスクリーン２００の第１の領域２０１．１に表示された識別子番号により識別されたジュークボックスで実行された全注文の履歴を表示するスクリーンが表示される。第４のボタン２０７．５により、ＪＵＫ＿ＣＯＮＮＥＣＴＩＯＮテーブルグループに情報が収集されて、サーバとジュークボックスとの間の全接続セットアップを表示する画面が表示され、ジュークボックスは、サーバと接続されると第１のスクリーン２００の第１の領域２０１．１に表示された識別子番号により識別される。第５のボタン２０７．５により、ＪＵＫ＿ＣＯＮＮＥＣＴＩＯＮテーブルグループの情報収集が起動されて、サーバーと、ジュークボックスがサーバとの接続をもったときに第１のスクリーン２００の第１の領域２０１．１に表示された識別子番号により識別されたジュークボックスとの間で設定されたすべての接続を表示するスクリーンを表示する。第６のボタン２０７．６により、図３Ｅに示されるＬＯＧ＿ＲＥＣＥＰＴＩＯＮテーブルグループに情報が収集されて、サーバにより受信され、第１のスクリーン２００の第１の領域２０１．１に表示された識別子番号により識別されたジュークボックスにより送信される全ログファイルの履歴を表示するスクリーンが表示される。第７のボタン２０７．７により、図３Ｆに示すＥＸＥＣＵＴＥＤ＿ＩＮＳＴＲＵＣＴＩＯＮテーブルグループに情報が収集されて、第１のスクリーン２００の第１の領域２０１．１に表示される識別子番号により識別されたジュークボックスで実行される全命令の履歴を表示するスクリーンが表示される。
【０１５１】
データベースに含まれる曲バンクを更新するために、第５のスクリーン２４０が使用される。このスクリーン２４０は、特に、配給権が獲得されたときおよび／またはジュークボックスにダウンロードする曲が処理されるときに、アルバムを追加するか、または曲バンクのデータを修正するために特に使用される。したがって、この第５のスクリーン２４０は、本質的に、アルバムに関するすべての情報を示すために使用される入力領域２４１．１〜２４１．４を含む。各入力領域２４１は、データベースにある図３Ａに示すＡＬＢＵＭアレイの引き数に対応する。第１の領域２４１．１は、アルバムの識別子を含む。第２の領域２４１．２は、アルバム名を含む。第３の領域２４１．３は、アルバムのアーティスト名を含む。第４の領域２４１．４は、ディスク発行者名を含む。また、第５のスクリーン２４０は、識別子により識別されたアルバムに関する曲のリストを表示するコンボリスト２４３を含む。したがって、第１の選択領域２４２を選択することにより入力を有効にすると、サーバが図３Ａに示すＡＬＢＵＭアレイを更新し、入力が既存アルバムへの修正からなる場合は対応する引き数の修正、または入力が新しいアルバムを曲バンクに追加することに対応する場合はテーブルグループへのテーブルの追加のいずれか一方を行う。
【０１５２】
曲のリスト（マスター）を作成するために、第６のスクリーン２５０が使用される。これらのリストは、ジュークボックスで利用可能な曲のリストを初期化するための開始点として使用可能である。第６のスクリーンは、リスト２５１．１を識別するため、例えば、リスト２５１．２を簡潔に記述し、リストタイプ２５１．３、言い換えれば、作成されているリストであるか、または最終のリストであるかを規定するために使用される多数の入力領域を含む。各入力領域２５１．１〜２５１．３は、実際、図３Ｂに示すＭＡＳＴＥＲアレイに引き数に対応する。また、第６のスクリーン２５０は、曲バンクにある曲のリストを含む第１のコンボリスト２５２と、現在のリストの部分を形成するようにすでに選択された曲のリストを含む第２のウィンドウ２５３を含む。また、第６のスクリーン２５０は、作成されたリストを有効にするために使用される保存ボタン２５４を含む。この選択により、図３Ｂに示すＭＡＳＴＥＲ特定テーブルグループにテーブルが作成され、新しいリストの場合には、図３Ｂに示す新しいリストの各曲に対してＭＡＳＴＥＲ＿ＣＡＴＡＬＯＧＵＥ特定テーブルグループにテーブルが作成されるか、または既存のリストを更新するために、図３Ｂに示すＭＡＳＴＥＲ＿ＣＡＴＡＬＯＧＵＥ特定テーブルグループにテーブルが追加または削除される。
【０１５３】
第７のアレイ２６０は、ＰＵＢＬＩＳＨＥＲアレイの全列を表示する。このような特定の情報収集は、サーバにより行われ、各発行者に関連するロイヤルティを管理するために使用される。これを行うために、第７のスクリーン２６０は、複数のラインからなるコンボリスト２６１を含む。各ラインは、アーティストの識別子を表す第１のフィールド２６１．１と、アーティスト名、言い換えれば、この場合は発行会社名を表す第２のフィールド２６１．２と、発行会社の管理者名を表す第３のフィールド２６１．３と、発行者がカタログにあるか否かを識別する第４のフィールド２６１．４と、発行者が再生と配給権を許可しているか否かを規定するために使用される一連のフィールド２６１．５〜２６１．９とを含む。したがって、第１のフィールド２６１．５は、書面の配給許可が与えられた日を示す。第２のフィールド２６１．６は、許可に署名が求められる日を示す。第３のフィールド２６１．７は、フィールドの配給に関する同意契約書がコメントを求めて待機した開始日を示す。第４のフィールド２６１．８は、口頭合意が得られた日を示す。第５のフィールド２６１．９は、配給合意が有効でなくなる日を示す。
【０１５４】
第７のスクリーン２７０は、ジュークボックスにより使用されるプログラムのインベントリを作成するために使用される。第７のスクリーン２７０は、プログラムバージョンのリストを表示し、他のプログラムやハードウェアコンポーネントとなんらかの非互換性があるかを表示するために使用される第１のコンボリスト２７１を含む。この情報は、データベースにある図３Ｄに示すＰＲＯＧＲＡＭおよびＰＲＯＧＲＡＭ＿ＩＮＣＯＭＰＡＣＴアレイに情報を収集して表示される。これを行うために、第１のフィールド２７１．１は、プログラム名を含む。第２のフィールド２７１．２は、プログラムバージョンを含み、第３のフィールド２７１．２は、プログラムを配給する会社名を含む。第４のフィールド２７１．４は、プログラムが利用可能になる日を示す。第５のフィールド２７１．５は、プログラムを修正した人を示す（修正した場合）。第６のフィールド２７１．６は、他のプログラムとなんらかの非互換性があるかを示す。第７のフィールド２７１．７は、１以上のハードウェアコンポーネントとなんらかの非互換性があるかを示す。
【０１５５】
第２のコンボリスト２７２は、第１のウィンドウ２７１で選択されたプログラムがインストールされたジュークボックス番号のリストと、インストール日と、可能であれば、デインストール日を表示する。この情報は、データベースにある図３Ｂに示すＳＯＦＴＷＡＲＥ特定テーブルグループに情報を収集した後表示される。したがって、第２のウィンドウは、プログラムがインストールされたジュークボックスの識別子番号を含む第１のフィールド２７２．１を含む。第２のフィールド２７２．２は、ジュークボックスにプログラムがインストールされた日を含む。第３のフィールド２７２．３は、ジュークボックスからプログラムが削除された日を含む。
【０１５６】
第３のコンボリスト２７３は、第１のウィンドウ２７１で選択されたプログラムが、ハードウェアコンポーネントに関連するかを検証するために使用される。この情報は、データベースにある図３Ｂに示すＦＩＲＭＷＡＲＥおよびＣＯＭＰＯＮＥＮＴ＿ＤＥＦアレイに情報を収集した後表示される。したがって、第１のフィールド２７３．１は、コンポーネント識別子を含む。第２のフィールド２７３．２は、コンポーネントの記述または名前を含む。第３のフィールド２７３．３は、コンポーネントのインストール日を含む。
【０１５７】
第４のコンボリスト２７４は、第１のウィンドウ２７１で選択されたプログラムが置き換えられたかを検証し、可能であればプログラムが置き換えられたとき、または置き換えられるときを検証するために使用される。この情報は、データベースにある図３Ｄに示すＲＥＰＬＡＣＥＭＥＮＴ＿ＰＲＯＧＲＡＭ特定テーブルグループから情報を収集した後表示される。したがって、第１のフィールド２７４．１は、プログラム名を含む。第２のフィールド２７４．２は、プログラムバージョンを含む。第３のフィールド２７４．３は、プログラムの置き換えが開始された日を含む。第４のフィールド２７４．４は、プログラムの置き換えが終了した日を含む。第５のフィールド２７４．５は、例えば、置き換え時にプログラムに加えた修正の簡潔な記述を含むものであってよい。
【０１５８】
データベースに含まれる他の情報を表示するために、他のスクリーンが上述したスクリーンと同じモデルで作成されてよい。表示された情報は、例えば、第１のスクリーン２００の場合のように、データベースのアレイに含まれる情報を単純に表示することからなるものであってよく、または選択的な情報の収集の結果であってもよく、言い換えれば、第７のスクリーン２６０の場合のように、特定の基準で情報の検索がなされる。同様に、スクリーンの中には、入力領域を必ずしも含まないものがあり、言い換えれば、これらのスクリーンは、例えば、第３のスクリーン２２０のように、情報を閲覧するためだけに使用される。
【０１５９】
本発明による装置により、遠隔通信網、例えば電話網を介して中央位置から複数のジュークボックスを遠隔制御することが容易になる。
【０１６０】
本発明の請求の範囲から逸脱することなく、多数の他の特別な形態で本発明を実施可能であることは、当業者に明らかであろう。したがって、これらの実施形態は、例示的目的のものとして考慮されなければならず、添付の請求項の領域により規定される範囲内で修正可能であり、本発明は上述した詳細に限定されるべきではない。
【符号の説明】
【０１６１】
２  マスメモリ制御回路
３  入力制御回路
４  遠隔通信制御回路
５  音声制御回路
６  ディスプレイ手段制御回路
１０  ホストサーバ
１１  データベース
２１  記憶モジュール
３０  テレフォンネットワーク
３２  キーロック
３３  タッチスクリーン
３４  外部キーボード
３５  料金支払装置
４１  モデムカード
５３  アンプチューナ
５４  ラウドスピーカ
６１  テレビジョンスクリーン
６２  ディスプレイ手段
１００．１−１００．ｎ  映像音声再生装置
【図１】
2014016645.tif 000003
【図２】
2014016645.tif 000004
【図３Ａ】
2014016645.tif 000005
【図３Ｂ】
2014016645.tif 000006
【図３Ｃ】
2014016645.tif 000007
【図３Ｄ】
2014016645.tif 000008
【図３Ｅ】
2014016645.tif 000009
【図３Ｆ】
2014016645.tif 000010
【図４】
2014016645.tif 000011
【図５Ａ】
2014016645.tif 000012
【図５Ｂ】
2014016645.tif 000013
【図５Ｃ】
2014016645.tif 000014
【図５Ｄ】
2014016645.tif 000015
【図５Ｅ】
2014016645.tif 000016
【図５Ｆ】
2014016645.tif 000017
【図５Ｇ】
2014016645.tif 000018
【図５Ｈ】
2014016645.tif 000019
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
ジュークボックスのネットワークを管理する方法であって、前記ネットワークは、前記ジュークボックスに接続するように動作可能なサーバを備え、前記方法は、
前記ネットワークに接続されたジュークボックスと前記サーバとの間の通信経路を前記ネットワークを介して確立することと、
サーバにおいて、ジュークボックスのハードウェア、ソフトウェア、および／またはファームウェアコンポーネントに関するジュークボックスで生成された少なくとも管理データを受信することとを含み、前記管理データは、どの曲がジュークボックスでの再生に利用可能であるかに関する情報とは異なりまた当該情報とは無関係であり、前記方法がさらに、
サーバにおいてジュークボックスから受信された前記管理データを処理することを含み、前記管理データを処理することにより、ネットワークに接続されるジュークボックスを識別し、当該ジュークボックスから前記管理データが受信されるものであり、さらに、前記管理データを使用して、ネットワークのジュークボックスの中央管理に関連するデータベースにある少なくとも１つのテーブルを選択的に更新し、前記方法がさらに、
前記管理データの処理に応答して、データベースにある少なくとも１つのテーブルグループにおいて、ジュークボックスにあるデータを更新するための命令が存在するかどうかをサーバに関連して決定することと、
前記決定することが、ジュークボックスにあるデータを更新するための命令が存在することを示すとき、ジュークボックスのための少なくとも対応する更新をサーバからジュークボックスへ送信することとを含み、更新は、所定の日および／または時間でジュークボックスで実行可能である、方法。
【請求項２】
前記データベースにある前記テーブルが複数のアレイを備え、前記アレイが前記管理データに関する情報を備え、前記情報が前記ジュークボックスのネットワークにあるジュークボックスにあるデータの管理に関連する、請求項１に記載の方法。
【請求項３】
ジュークボックスのネットワークを管理する方法であって、前記ネットワークは、前記ジュークボックスに接続するように動作可能なサーバを備え、前記方法は、
前記ネットワークに接続されたジュークボックスと前記サーバとの間の通信経路をネットワークを介して確立することと、
サーバにおいて、ジュークボックスで生成されかつジュークボックスから送信される少なくとも管理データをジュークボックスから受信することとを含み、前記管理データは、ジュークボックスのハードウェア、ソフトウェア、および／またはファームウェアコンポーネントを規定し、前記方法はさらに、
サーバにおいてジュークボックスから受信された前記管理データを処理することを含み、前記管理データを処理することにより、ネットワークに接続されるジュークボックスを識別し、当該ジュークボックスから前記管理データが受信されるものであり、さらに、前記管理データを使用して、ネットワークのジュークボックスの中央管理で使用されるデータベースにある少なくとも１つのテーブルを更新し、前記方法はさらに、
データベースに、ジュークボックスにあるデータを更新するための命令が存在するかどうかをサーバに関連して決定することと、
ジュークボックスにあるデータを更新するための命令を送信することが適切であるかどうかをサーバに関連して決定することと、
ジュークボックスにあるデータを更新するための命令が存在し、かつ命令を送信することが適切であるとき、少なくともジュークボックスのための更新をサーバからジュークボックスへ送信することとを含み、
データベースにおけるデータが、以下の（ａ）〜（ｅ）の２つ以上に関連し、すなわち、（ａ）ジュークボックスの管理されたネットワークにおけるジュークボックスで使用可能であり、少なくとも名前およびバージョンナンバーによってそれぞれ識別されるソフトウェアプログラム、（ｂ）ジュークボックスの管理されたネットワークにおけるジュークボックスについて曲を再生可能にするために支払われるべき必要な価格、（ｃ）１つ以上の曲が再生のために選択可能であるかどうかを規定するオペレータによって提供されるフィルタ情報、（ｄ）ロイヤルティの計算で使用される情報、および（ｅ）ジュークボックスの管理されたネットワークにおける少なくともいくつかのジュークボックスに関連して行われるべきプロモーションである、方法。
【請求項４】
前記適切であるかどうかを決定することがさらに、命令の送信のための日付および／または時間に達したかどうかを決定することを含む、請求項３に記載の方法。
【請求項５】
ジュークボックスのネットワークを管理する方法であって、前記ネットワークは、前記ジュークボックスに接続するように動作可能なサーバを備え、
前記方法は、それぞれのジュークボックスで生成された管理データをサーバに転送することを含み、管理データは、それぞれジュークボックスのハードウェア、ソフトウェア、および／またはファームウェアコンポーネントを規定し、どの曲が再生に利用可能であるかに関する情報とは異なりまた当該情報とは無関係であり、前記方法はさらに、
管理データがサーバで受信されると、ネットワークに接続されるどのジュークボックスが管理データを送信したかを識別するために受信した管理データを処理し、前記受信した管理データを使用して、ネットワークのジュークボックスの中央管理に関わるデータベースを更新することと、
サーバおよびデータベースに関連して、ネットワークにおけるいずれかのジュークボックスが更新されるべきかどうかを定期的に決定することと、
前記決定が、ネットワークにおける１つ以上のジュークボックスが更新されるべきであることを示すとき、（ａ）各ジュークボックスがサーバに接続するとき、それぞれジュークボックスのための関連する更新をサーバからそれぞれジュークボックスへ送信することとを含み、更新は、所定の日および／または時間でジュークボックスで実行可能であり、さらに（ｂ）成功した更新の送信のログをデータベース内で維持することを含む、方法。
【外国語明細書】
2014016645000001.pdf